(57)【要約】【課題】煩雑な設定を要せず、容易に、状態情報を取得・登録できるＩｏＴ装置の提供。【解決手段】ＩｏＴ装置１０１は、工場に設置される機械に設置される。ＩｏＴ装置１０１は、機械の作動温度や振動等、機械の状態を示す状態情報を、所定時間毎に、情報蓄積装置１０３へ送信する。ＩｏＴ装置１０１は、表面に、自身の状態情報を取得するためのアドレスが含まれる２次元バーコード１０１ｍを有している。情報蓄積装置１０３は、ＩｏＴ装置１０１から取得した状態情報を記憶、保持する。また、情報蓄積装置１０３は、ＩｏＴ管理端末１０５からの要求に従い、状態情報を送信する。ＩｏＴ管理端末１０５は、ＩｏＴ装置１０１が有する２次元バーコード１０１ｍを読み取り、２次元バーコード１０１ｍを読み取ったＩｏＴ装置１０１に関する状態情報を有する情報蓄積装置１０３に接続し、対応する状態情報を取得し、表示する。【選択図】  図１
2020126380.tif 000002
【特許請求の範囲】
【請求項１】
自身を特定する特定情報を記憶保持する記憶部、
状態情報を取得する状態情報取得部、
前記状態情報取得部が取得した状態情報を、ネットワークを介して所定の情報蓄積装置に送信する通信部、
所定の情報と前記特定情報とが関連付けられたＩｏＴ情報を管理するＩｏＴ情報管理装置から、前記記憶部が記憶する前記特定情報に関連付けられた前記所定の情報を取得し、及び／又は、前記ＩｏＴ情報管理装置に、前記特定情報に関連付けて前記所定の情報を記憶し、及び／又は、前記特定情報に関連付けられた前記所定の情報を修正、削除するように要求する先の前記ネットワーク上の位置を示す管理先接続情報と自身を特定する特定情報とを提供する管理先接続情報・特定情報提供部、
を有するＩｏＴ装置。
【請求項２】
請求項１に係るＩｏＴ装置において、さらに、
前記状態情報取得部、及び、前記通信部を収納する筐体部、
を有し、
前記管理先接続情報・特定情報提供部は、
前記管理先接続情報、及び、前記特定情報を表示する２次元バーコードとして、前記筐体部に表示されること、
を特徴とするＩｏＴ装置。
【請求項３】
請求項２に係るＩｏＴ装置において、
前記管理先接続情報・特定情報提供部は、さらに、
前記２次元バーコードとともに、数値化された前記特定情報を有していること、
を特徴とするＩｏＴ装置。
【請求項４】
請求項１〜請求項３に係るＩｏＴ装置において、
前記管理先接続情報・特定情報提供部は、
前記所定の情報が、前記ＩｏＴ装置の動作状態を確認するための動作状態確認情報を送信する確認用動作状態提供装置に接続するための動作状態確認先接続情報であり、前記記憶部が記憶する前記特定情報に関連付けられた前記動作状態確認先接続情報を取得する先の前記ネットワーク上の位置を示す前記管理先接続情報を有すること、
を特徴とするＩｏＴ装置。
【請求項５】
請求項１〜請求項４のいずれかに係るＩｏＴ装置において、
前記管理先接続情報・特定情報提供部は、
前記所定の情報が、前記ＩｏＴ装置が無線ＬＡＮを介して前記状態蓄積装置に接続するための初期通信設定情報であり、前記記憶部が記憶する前記特定情報に関連付けられた前記初期通信設定情報を取得する先の前記ネットワーク上の位置を示す前記管理先接続情報を有すること、
を特徴とするＩｏＴ装置。
【請求項６】
請求項４に係るＩｏＴ装置において、
前記管理先接続情報・特定情報提供部は、
前記所定の情報が、前記ＩｏＴ装置が設置される設置対象物を特定する設置対象物特定情報であり、前記記憶部が記憶する前記特定情報に関連付けられた前記動作状態確認先接続情報、及び、前記設置対象物特定情報を取得する先の前記ネットワーク上の位置を示す前記管理先接続情報を有すること、
を特徴とするＩｏＴ装置。
【請求項７】
請求項４に係るＩｏＴ装置において、
前記管理先接続情報・特定情報提供部は、
前記所定の情報が、前記ＩｏＴ装置が取得する前記状態情報の一部である確認用動作状態情報であり、前記記憶部が記憶する前記特定情報に関連付けられた前記動作状態確認先接続情報を有すること、
を特徴とするＩｏＴ装置。
【請求項８】
所定の設置対象物に設置され、所定の状態情報を取得し、所定の状態蓄積装置に取得した前記状態情報を登録するＩｏＴ装置に関するＩｏＴ情報を管理するＩｏＴ情報管理装置であって、
所定の情報と、前記ＩｏＴ装置を特定する前記特定情報とが少なくとも関連付けられたＩｏＴ情報を有する記憶部、
前記特定情報に関連付けられた前記所定の情報の送信を要求されると、前記特定情報に関連付けられた前記所定の情報を送信し、及び／又は、前記特定情報に関連付けた前記所定の情報の記憶を要求されると、前記特定情報に関連付けて前記所定の情報を記憶し、及び／又は、前記特定情報に関連付けられた前記所定の情報を修正、削除するように要求されると、前記特定情報に関連付けられた前記所定の情報を修正、削除する通信制御部、
を有するＩｏＴ情報管理装置。
【請求項９】
請求項８に係るＩｏＴ情報管理装置において、
前記記憶部は、
前記ＩｏＴ装置の動作状態を確認するための動作状態確認情報を提供する確認用動作状態提供装置に接続するための動作状態確認先接続情報を前記所定の情報として、前記特定情報に関連付けられた前記ＩｏＴ情報を有し、
前記通信制御部は、
前記特定情報を含み、前記特定情報に関連付けられた前記動作状態確認先接続情報の送信を要求する状態確認先要求情報を取得すると、前記特定情報に関連付けられた前記動作状態確認先接続情報を送信すること、
を特徴とするＩｏＴ情報管理装置。
【請求項１０】
請求項８又は請求項９に係るＩｏＴ情報管理装置において、
前記記憶部は、
前記ＩｏＴ装置が無線ＬＡＮを介して前記状態蓄積装置に接続するための初期通信設定情報を前記所定の情報として、前記特定情報に関連付けられた前記ＩｏＴ情報を有し、
前記通信制御部は、
前記特定情報を含み、前記特定情報に関連付けられた前記初期通信設定情報の送信を要求する初期通信設定要求情報を取得すると、前記特定情報に関連付けられた前記初期通信設定情報を送信すること、
を特徴とするＩｏＴ情報管理装置。
【請求項１１】
請求項１０に係るＩｏＴ情報管理装置において、
前記初期通信設定情報は、
無線ＬＡＮにおけるＳＳＩＤ、及び、暗号化キーを有すること、
を特徴とするＩｏＴ情報管理装置。
【請求項１２】
請求項９に係るＩｏＴ情報管理装置において、
前記記憶部は、
前記ＩｏＴ装置が位置する場所を特定する付加情報を前記所定の情報として、さらに、前記特定情報に関連付けられた前記ＩｏＴ情報を有し、
前記通信制御部は、
前記特定情報、及び、前記付加情報を含み、前記特定情報、及び、前記付加情報に関連付けられた前記動作状態確認先接続情報の送信を要求する動作状態確認先要求情報を取得すると、前記特定情報、及び、前記付加情報に関連付けられた前記動作状態確認先接続情報を送信すること、
を特徴とするＩｏＴ情報管理装置。
【請求項１３】
請求項１２に係るＩｏＴ情報管理装置において、
前記付加情報は、
前記ＩｏＴ装置が設置される設置対象物である自動車のナンバープレートの番号を示す設置対象物情報であること、
を特徴とするＩｏＴ情報管理装置。
【請求項１４】
請求項１２に係るＩｏＴ情報管理装置において、
前記付加情報は、
前記ＩｏＴ装置の動作開始時刻、及び／又は、動作終了時刻に関する情報であること、
を特徴とするＩｏＴ情報管理装置。
【請求項１５】
請求項１２に係るＩｏＴ情報管理装置において、
前記付加情報は、
前記ＩｏＴ装置が位置する場所を示す位置情報であること、
を特徴とするＩｏＴ情報管理装置。
【請求項１６】
請求項１２に係るＩｏＴ情報管理装置において、
前記付加情報は、
前記ＩｏＴ装置が設置されている状態を示す画像情報であること、
を特徴とするＩｏＴ情報管理装置。
【請求項１７】
所定の情報と、前記特定情報とが関連付けられたＩｏＴ情報を管理するＩｏＴ情報管理装置から、前記記憶部が記憶する前記特定情報に関連付けられた前記所定の情報を取得し、及び／又は、前記ＩｏＴ情報管理装置に、前記特定情報に関連付けて前記所定の情報を記憶し、及び／又は、前記特定情報に関連付けられた前記所定の情報を修正、削除するように要求する先の前記ネットワーク上の位置を示す管理先接続情報と自身を特定する特定情報とを提供する管理先接続情報・特定情報提供部、
前記管理先接続情報・特定情報提供部が有する前記管理先接続情報を用いて、前記特定情報に関連する前記所定の情報の送信を要求し、及び／又は、前記特定情報に関連付けて前記所定の情報を記憶し、及び／又は、前記特定情報に関連付けられた前記所定の情報を修正、削除するように要求する通信制御部、
を有する状態確認端末。
【発明の詳細な説明】
【技術分野】
【０００１】
本発明は、状態情報を取得するＩｏＴ装置に関し、特に、煩雑な設定を要せず、容易に、状態情報を取得・登録できるものに関する。
【背景技術】
【０００２】
従来の情報管理システムについて、図３７に示すＩｏＴデバイスシェアリング装置１を用いたシステムを例に説明する。ＩｏＴデバイスシェアリング装置１は、ＩｏＴデバイスからの登録要求を受け付け、ＩｏＴデバイスが備える機能を、センサ機能、コンピューティング機能、アクチュエータ機能ごとに利用可能なリソースとしてリソース管理情報に登録するＩｏＴデバイス登録部１０１と、リソース管理情報を記憶する記憶部１２と、ＩｏＴデバイスのセンサ機能、コンピューティング機能、アクチュエータ機能のうちの少なくとも１つの機能の利用を要求するリソース要求をＩｏＴデバイス利用者端末から受け付け、リソース要求に付される、当該要求する機能を指定する要求条件を満たすリソースを、リソース管理情報を検索して抽出し、ＩｏＴデバイス利用者端末に提供するリソース提供部１０２と、を備える。
【０００３】
まず、ＩｏＴデバイスシェアリング装置１のＩｏＴデバイス登録部１０１は、ＩｏＴデバイス２からのデバイス登録要求を受け付け、そのＩｏＴデバイス２を、センサ機能、コンピューティング機能、アクチュエータ機能ごとに利用可能なリソースとして、記憶部１２内のリソース管理情報１２０に登録する（ステップＳ１）。ＩｏＴデバイスシェアリング装置１は、このデバイス登録要求を随時行う。また、ＩｏＴデバイスシェアリング装置１は、ＩｏＴデバイス２の各機能（センサ機能、コンピューティング機能、アクチュエータ機能）ごとに、リソースとして提供可能か否かを示す利用状態１２５（図示せず）を、最新の状態に設定しておく。
【０００４】
次に、ＩｏＴデバイスシェアリング装置１のリソース提供部１０２は、ＩｏＴデバイス利用者端末３からリソース要求を受け付ける（ステップＳ２）。そして、リソース提供部１０２は、そのリソース要求で示される要求条件を満たすリソースを、リソース管理情報１２０から検索する。リソース提供部１０２は、検索して得られたリソースの情報を、リソース通知として、要求元のＩｏＴデバイス利用者端末３に送信する（ステップＳ３）。
【０００５】
続いて、リソース提供部１０２は、リソース通知として示したＩｏＴデバイス２のリソースからユーザが選択した機能（リソース）の情報を取得し、ＩｏＴサービスとして提供する（ステップＳ４）。
【０００６】
これにより、ＩｏＴサービスの提供者が、サービス拡張のために必要なコストを抑える（以上、特許文献１参照）。
【先行技術文献】
【特許文献】
【０００７】
【特許文献１】特開２０１７−２１９９３０号公報
【発明の概要】
【発明が解決しようとする課題】
【０００８】
前述のＩｏＴデバイスシェアリング装置１を用いたシステムには、以下に示すような改善すべき点がある。
【０００９】
ＩｏＴデバイスシェアリング装置１では、各ＩｏＴデバイス２の機能を管理し、使用者に各機能を提供するものである一方、ＩｏＴデバイス２の機能利用の結果として得られる各種の情報については管理しておらず、各情報がネットワーク上のどの場所に存在するのかが分からない。したがって、ＩｏＴデバイスシェアリング装置１を利用したとしても、使用者は、ＩｏＴデバイス２が取得する情報を利用できない、という改善すべき点がある。
【００１０】
なお、使用者に、ＩｏＴデバイス２が取得した情報を提供するために、ＩｏＴデバイス２が取得した情報のネット−ワーク上の位置を管理することはできる。その際、ＩｏＴデバイス２と取得した情報のネットワーク上の位置とを関連付けてサーバ等に登録する作業が発生する。ＩｏＴデバイス２のように自動で各種情報を所定のサーバに登録できるもの以外のＩｏＴデバイスについては、登録作業の際に、そのＩｏＴデバイスの固有のＩＤ番号等をＩｏＴデバイスの裏面等に表記された固有ＩＤ番号を調べた上で、サーバに入力しなければならず、登録作業に手間がかかる、という改善すべき点がある。
【００１１】
さらに、ＩｏＴデバイス２が無線ＬＡＮ等において固有アドレスを所有しない無線通信を利用する場合、ＩｏＴデバイス２が位置する側の内部ネットワークと外部ネットワークとの間に位置する無線ＬＡＮルータを介して、ＩｏＴデバイスシェアリング装置１等の外部ネットワークに位置する装置に接続するため、無線ＬＡＮルータと接続するためにＳＳＩＤや暗号化キー等の通信設定を、ＩｏＴデバイス２に入力する必要がある。しかしながら、一般的なＩｏＴデバイスには入力インターフェースが無いため、ＵＳＢ接続やＢｌｕｅｔｏｏｔｈ（登録商標）を介して他の装置からＳＳＩＤや暗号化キー等の通信設定をＩｏＴデバイス２に入力する必要がある。つまり、ＩｏＴデバイス２に対して、煩雑な通信設定が存在する、という改善すべき点がある。
【００１２】
さらに、ＩｏＴデバイス２の設置者は、ＩｏＴデバイス２が正常に動作しているか否かを、適時、確認する必要がある。ＩｏＴデバイス２が正常に動作しているか否かについては、所定のサーバにＩｏＴデバイス２が取得した情報が登録されているか否を調べる専用の管理ツールを、一般的には、使用している。しかしながら、専用の管理ツールに、動作確認の対象となるＩｏＴデバイス２の固有ＩＤ番号を入力するという煩雑な作業が存在する。また動作確認時のＩｏＴデバイス２の固有ＩＤ番号の入力は、一般的に、ＩｏＴデバイス２が設置されている現場で実行されるため、キーボード等の入力ツールによる入力では不備が生じやすい、という改善すべき点がある。
【００１３】
そこで、本発明は、煩雑な作業を要せず、容易に、動作確認できるＩｏＴ装置を提供することを目的とする。また、本発明は、煩雑な作業を要せず、容易に、登録できるＩｏＴ装置を提供することを目的とする。
【００１４】
さらに、本発明は、煩雑な設定を要せず、容易に、ＩｏＴ装置を動作確認できる状態情報取得端末を提供することを目的とする。また、本発明は、煩雑な作業を要せず、容易に、ＩｏＴ装置を登録できる状態情報登録端末を提供することを目的とする。
【発明の効果】
【００１５】
本発明における課題を解決するための手段及び発明の効果を以下に示す。
【００１６】
本発明に係るＩｏＴ装置は、自身を特定する特定情報を記憶保持する記憶部、状態情報を取得する状態情報取得部、前記状態情報取得部が取得した状態情報を、ネットワークを介して所定の情報蓄積装置に送信する通信部、所定の情報と前記特定情報とが関連付けられたＩｏＴ情報を管理するＩｏＴ情報管理装置から、前記記憶部が記憶する前記特定情報に関連付けられた前記所定の情報を取得し、及び／又は、前記ＩｏＴ情報管理装置に、前記特定情報に関連付けて前記所定の情報を記憶し、及び／又は、前記特定情報に関連付けられた前記所定の情報を修正、削除するように要求する先の前記ネットワーク上の位置を示す管理先接続情報と自身を特定する特定情報とを提供する管理先接続情報・特定情報提供部、を有する。
【００１７】
これにより、所定の端末に管理先接続情報・特定情報提供部を介して管理先接続情報と特定情報とを取得させるだけで、ＩｏＴ情報管理装置からＩｏＴ装置に関連した所定の情報を取得させ、及び／又は、ＩｏＴ情報管理装置にＩｏＴ装置に関連した所定の情報を記憶させ、及び／又は、前記特定情報に関連付けられた前記所定の情報を修正、削除させることができる。つまり、煩雑な操作を要せず、容易に、所定の端末に、ＩｏＴ情報管理装置からＩｏＴ装置に関連した所定の情報を取得させ、及び／又は、ＩｏＴ情報管理装置にＩｏＴ装置に関連した所定の情報を記憶させ、及び／又は、前記特定情報に関連付けられた前記所定の情報を修正、削除させることができる。
【００１８】
本発明に係るＩｏＴ装置は、前記状態情報取得部、及び、前記通信部を収納する筐体部、を有し、前記管理先接続情報・特定情報提供部は、前記管理先接続情報、及び、前記特定情報を表示する２次元バーコードとして、前記筐体部に表示されること、を特徴とする。
【００１９】
これにより、所定の端末に２次元バーコードを取得させるだけで、ＩｏＴ情報管理装置からＩｏＴ装置に関連した所定の情報を取得させ、及び／又は、ＩｏＴ情報管理装置にＩｏＴ装置に関連した所定の情報を登録させることができる。つまり、煩雑な操作を要せず、容易に、所定の端末に、ＩｏＴ情報管理装置からＩｏＴ装置に関連した所定の情報を取得等させることができる。
【００２０】
本発明に係るＩｏＴ装置では、前記管理先接続情報・特定情報提供部は、さらに、前記２次元バーコードとともに、数値化された前記特定情報を有していること、を特徴とする。
【００２１】
これにより、容易に、所定の情報を取得し、登録するＩｏＴ装置を特定することができないようにできる。
【００２２】
本発明に係るＩｏＴ装置では、前記管理先接続情報・特定情報提供部は、前記所定の情報が、前記ＩｏＴ装置の動作状態を確認するための動作状態確認情報を送信する確認用動作状態提供装置に接続するための動作状態確認先接続情報であり、前記記憶部が記憶する前記特定情報に関連付けられた前記動作状態確認先接続情報を取得する先の前記ネットワーク上の位置を示す前記管理先接続情報を有すること、
を特徴とする。
【００２３】
これにより、所定の端末を用いて、ＩｏＴ装置の動作状態を、容易に、確認させることができる。つまり、煩雑な操作を要せず、容易に、所定の端末に、ＩｏＴ装置の動作状態を確認させることができる。
【００２４】
本発明に係るＩｏＴ装置では、前記管理先接続情報・特定情報提供部は、前記所定の情報が、前記ＩｏＴ装置が無線ＬＡＮを介して前記状態蓄積装置に接続するための初期通信設定情報であり、前記記憶部が記憶する前記特定情報に関連付けられた前記初期通信設定情報を取得する先の前記ネットワーク上の位置を示す前記管理先接続情報を有すること、を特徴とする。
【００２５】
これにより、所定の端末を用いて、ＩｏＴ装置を無線ＬＡＮを介して状態蓄積装置に、容易に、接続させることができる。つまり、煩雑な操作を要せず、容易に、ＩｏＴ装置を無線ＬＡＮを介して状態蓄積装置に接続させることができる。
【００２６】
本発明に係るＩｏＴ装置では、前記管理先接続情報・特定情報提供部は、前記所定の情報が、前記ＩｏＴ装置が設置される設置対象物を特定する設置対象物特定情報であり、前記記憶部が記憶する前記特定情報に関連付けられた前記動作状態確認先接続情報、及び、前記設置対象物特定情報を取得する先の前記ネットワーク上の位置を示す前記管理先接続情報を有すること、を特徴とする。
【００２７】
これにより、所定の端末を用いて、ＩｏＴ装置とＩｏＴ情報の設置対象物とを関連付けた情報を、容易に、取得させることができる。つまり、煩雑な操作を要せず、容易に、所定の端末に、ＩｏＴ装置とＩｏＴ情報の設置対象物とを関連付けた情報を取得させることができる。
【００２８】
本発明に係るＩｏＴ装置では、前記管理先接続情報・特定情報提供部は、前記所定の情報が、前記ＩｏＴ装置が取得する前記状態情報の一部である確認用動作状態情報であり、前記記憶部が記憶する前記特定情報に関連付けられた前記動作状態確認先接続情報を有すること、を特徴とする。
【００２９】
これにより、所定の端末を用いて、確認用動作状態情報を取得する先を示す動作状態確認先接続情報を、容易に、取得させることができる。つまり、煩雑な操作を要せず、容易に、所定の端末に、確認用動作状態情報を取得させることができる。
【００３０】
本発明に係るＩｏＴ情報管理装置は、所定の設置対象物に設置され、所定の状態情報を取得し、所定の状態蓄積装置に取得した前記状態情報を登録するＩｏＴ装置に関するＩｏＴ情報を管理するＩｏＴ情報管理装置であって、所定の情報と、前記ＩｏＴ装置を特定する前記特定情報とが少なくとも関連付けられたＩｏＴ情報を有する記憶部、前記特定情報に関連付けられた前記所定の情報の送信を要求されると、前記特定情報に関連付けられた前記所定の情報を送信し、及び／又は、前記特定情報に関連付けた前記所定の情報の記憶を要求されると、前記特定情報に関連付けて前記所定の情報を記憶する通信制御部、を有する。
【００３１】
これにより、ＩｏＴ情報管理装置を用いるだけで、容易に、ＩｏＴ装置に関連した所定の情報を提供し、及び／又は、ＩｏＴ情報管理装置にＩｏＴ装置に関連した所定の情報を登録することができる。
【００３２】
本発明に係るＩｏＴ情報管理装置では、前記記憶部は、前記ＩｏＴ装置の動作状態を確認するための動作状態確認情報を提供する確認用動作状態提供装置に接続するための動作状態確認先接続情報を前記所定の情報として、前記特定情報に関連付けられた前記ＩｏＴ情報を有し、前記通信制御部は、前記特定情報を含み、前記特定情報に関連付けられた前記動作状態確認先接続情報の送信を要求する状態確認先要求情報を取得すると、前記特定情報に関連付けられた前記動作状態確認先接続情報を送信すること、を特徴とする。
【００３３】
これにより、ＩｏＴ情報管理装置を用いるだけで、容易に、ＩｏＴ装置の動作状態を確認することができる。
【００３４】
本発明に係るＩｏＴ情報管理装置では、前記記憶部は、前記ＩｏＴ装置が無線ＬＡＮを介して前記状態蓄積装置に接続するための初期通信設定情報を前記所定の情報として、前記特定情報に関連付けられた前記ＩｏＴ情報を有し、前記通信制御部は、前記特定情報を含み、前記特定情報に関連付けられた前記初期通信設定情報の送信を要求する初期通信設定要求情報を取得すると、前記特定情報に関連付けられた前記初期通信設定情報を送信すること、を特徴とする。
【００３５】
これにより、ＩｏＴ情報管理装置を用いるだけで、容易に、ＩｏＴ装置に通信設定できる。
【００３６】
本発明に係るＩｏＴ情報管理装置では、前記初期通信設定情報は、無線ＬＡＮにおけるＳＳＩＤ、及び、暗号化キーを有すること、を特徴とする。
【００３７】
これにより、ＩｏＴ情報管理装置を用いるだけで、容易に、ＩｏＴ装置に無線ＬＡＮにおける通信設定できる。
【００３８】
本発明に係るＩｏＴ情報管理装置では、前記記憶部は、前記ＩｏＴ装置が設置される設置対象物を特定する設置対象物特定情報を前記所定の情報として、さらに、前記特定情報に関連付けられた前記ＩｏＴ情報を有し、前記通信制御部は、前記特定情報、及び、前記設置対象物特定情報を含み、前記特定情報、及び、前記設置対象物特定情報に関連付けられた前記動作状態確認先接続情報の送信を要求する動作状態確認先要求情報を取得すると、前記特定情報、及び、前記設置対象物特定情報に関連付けられた前記動作状態確認先接続情報を送信すること、を特徴とする。
【００３９】
これにより、ＩｏＴ情報管理装置を用いるだけで、容易に、ＩｏＴ装置とＩｏＴ情報の設置対象物とを関連付けた情報を取得できる
【００４０】
本発明に係るＩｏＴ情報管理装置では、前記設置対象物特定情報は、前記ＩｏＴ装置が設置される自動車のナンバープレートの番号であること、を特徴とする。
【００４１】
これにより、ＩｏＴ情報管理装置を用いるだけで、容易に、ＩｏＴ装置とＩｏＴ情報の設置対象物である自動車とを関連付けて登録できる
【００４２】
本発明に係るＩｏＴ情報管理装置では、前記付加情報は、前記ＩｏＴ装置の動作開始時刻、及び／又は、動作終了時刻に関する情報であること、を特徴とする。
【００４３】
これにより、ＩｏＴ装置の動作開始、動作終了を、容易に管理することができる。
【００４４】
本発明に係るＩｏＴ情報管理装置では、前記付加情報は、前記ＩｏＴ装置が位置する場所を示す位置情報であること、を特徴とする。
【００４５】
これにより、ＩｏＴ装置の設置場所を容易に管理することができる。
【００４６】
本発明に係るＩｏＴ情報管理装置では、前記付加情報は、前記ＩｏＴ装置が設置されている状態を示す画像情報であること、を特徴とする。
【００４７】
これにより、ＩｏＴ装置の設置状況を容易に管理することができる。
【００４８】
本発明に係る状態確認端末は、所定の情報と、前記特定情報とが関連付けられたＩｏＴ情報を管理するＩｏＴ情報管理装置から、前記記憶部が記憶する前記特定情報に関連付けられた前記所定の情報を取得し、及び／又は、前記ＩｏＴ情報管理装置に、前記特定情報に関連付けて前記所定の情報を記憶するように要求する先の前記ネットワーク上の位置を示す管理先接続情報を表示する２次元バーコードを取得する２次元バーコード取得部、前記２次元バーコードが有する前記管理先接続情報を用いて、前記特定情報に関連する前記所定の情報の送信を要求し、及び／又は、前記特定情報に関連付けて前記所定の情報を記憶するように要求する通信制御部、を有する。
【００４９】
これにより、状態確認端末を用いて、２次元バーコードを取得するだけで、ＩｏＴ情報管理装置からＩｏＴ装置に関連した所定の情報を取得し、及び／又は、ＩｏＴ情報管理装置にＩｏＴ装置に関連した所定の情報を登録することができる。つまり、煩雑な操作を要せず、容易に、状態確認端末を用いて、ＩｏＴ情報管理装置からＩｏＴ装置に関連した所定の情報を取得し、及び／又は、ＩｏＴ情報管理装置にＩｏＴ装置に関連した所定の情報を登録することができる。
【００５０】
本発明に係る状態確認端末では、前記２次元バーコード取得部は、前記ＩｏＴ装置の動作状態を確認するための動作状態確認情報を提供する確認用動作状態提供装置に接続するための動作状態確認先接続情報を前記所定の情報として、前記特定情報に関連付けられた前記ＩｏＴ情報を管理する前記ＩｏＴ情報管理装置から、前記特定情報に関連付けられた前記動作状態確認先接続情報を取得する先の前記ネットワーク上の位置を示す前記管理先接続情報を表示する２次元バーコードを取得し、前記通信制御部は、前記２次元バーコードが有する前記管理先接続情報を用いて、前記特定情報に対する前記動作状態確認先接続情報の送信を要求する状態確認先要求情報を送信すること、を特徴とする。
【００５１】
これにより、状態確認端末を用いて、２次元バーコードを取得するだけで、ＩｏＴ装置の動作状態を、容易に、確認することができる。つまり、煩雑な操作を要せず、容易に、状態確認端末を用いて、ＩｏＴ装置の動作状態を確認することができる。
【００５２】
本発明に係る状態確認装置では、前記２次元バーコード取得部は、前記ＩｏＴ装置が無線ＬＡＮを介して前記状態蓄積装置に接続するための初期通信設定情報を前記所定の情報として、前記特定情報に関連付けられた前記ＩｏＴ情報を管理する前記ＩｏＴ情報管理装置から、前記特定情報に関連付けられた前記初期通信設定情報を取得する先の前記ネットワーク上の位置を示す前記管理先接続情報を表示する２次元バーコードを取得し、前記通信制御部は、前記２次元バーコードが有する前記管理先接続情報を用いて、前記初期通信設定情報の送信を要求する初期通信設定要求情報を送信し、前記初期通信設定を取得すると、前記ＩｏＴ装置に接続し、前記ＩｏＴ装置に前記初期通信設定情報を提供すること、を特徴とする。
【００５３】
これにより、状態確認端末を用いて、２次元バーコードを取得するだけで、ＩｏＴ装置を無線ＬＡＮを介して状態蓄積装置に、容易に、接続することができる。つまり、煩雑な操作を要せず、容易に、ＩｏＴ装置を、無線ＬＡＮを介して状態蓄積装置に、接続することができる。
【００５４】
本発明に係る状態確認装置では、前記２次元バーコード取得部は、前記ＩｏＴ装置が設置される設置対象物を特定する設置対象物特定情報を、さらに、前記所定の情報として、前記特定情報に関連付けられた前記ＩｏＴ情報を管理する前記ＩｏＴ情報管理装置から、前記特定情報に関連付けられた前記設置対象物特定情報を取得する先の前記ネットワーク上の位置を示す管理先接続情報を表示する２次元バーコードを取得し、前記通信制御部は、前記２次元バーコードが有する前記管理先接続情報を用いて、前記特定情報、及び、前記設置対象物特定情報に対する前記動作状態確認先接続情報の送信を要求する状態確認先要求情報を送信すること、を特徴とする。
【００５５】
これにより、状態確認端末を用いて、２次元バーコードを取得するだけで、ＩｏＴ装置とＩｏＴ情報の設置対象物とを関連付けた情報を、容易に、取得することができる。つまり、煩雑な操作を要せず、容易に、状態確認端末を用いて、ＩｏＴ装置とＩｏＴ情報の設置対象物と関連付けた情報を取得することができる。
【００５６】
本発明に係る状態確認端末では、さらに、前記設置対象物特定情報を取得する設置対象物特定情報取得部、を有し、前記通信制御部は、さらに、前記２次元バーコードが有する前記管理先接続情報を用いて、前記特定情報に関連付けて、前記所定の情報として前記設置対象物特定情報を記録するように要求する装置登録要求情報を送信すること、を特徴とする。
【００５７】
これにより、状態確認端末を用いて、２次元バーコードを取得するだけで、ＩｏＴ装置とＩｏＴ情報の設置対象物とを関連付けて、容易に、登録することができる。つまり、煩雑な操作を要せず、容易に、状態確認端末を用いて、ＩｏＴ装置とＩｏＴ情報の設置対象物とを関連付けて登録することができる。
【００５８】
本発明に係るコンピュータを、状態確認端末として機能させる状態確認用プログラムは、前記コンピュータを、所定の情報と、前記特定情報とが関連付けられたＩｏＴ情報を管理するＩｏＴ情報管理装置から、前記記憶部が記憶する前記特定情報に関連付けられた前記所定の情報を取得し、及び／又は、前記ＩｏＴ情報管理装置に、前記特定情報に関連付けて前記所定の情報を記憶するように要求する先の前記ネットワーク上の位置を示す管理先接続情報を表示する２次元バーコードを取得する２次元バーコード取得部、前記２次元バーコードが有する前記管理先接続情報を用いて、前記特定情報に関連する前記所定の情報の送信を要求し、及び／又は、前記特定情報に関連付けて前記所定の情報を記憶するように要求する通信制御部、として機能させる。
【００５９】
これにより、状態確認端末を用いて、２次元バーコードを取得するだけで、ＩｏＴ情報管理装置からＩｏＴ装置に関連した所定の情報を取得し、及び／又は、ＩｏＴ情報管理装置にＩｏＴ装置に関連した所定の情報を登録することができる。つまり、煩雑な操作を要せず、容易に、状態確認端末を用いて、ＩｏＴ情報管理装置からＩｏＴ装置に関連した所定の情報を取得し、及び／又は、ＩｏＴ情報管理装置にＩｏＴ装置に関連した所定の情報を登録することができる。
【００６０】
本発明に係る状態確認用プログラムでは、前記コンピュータを、さらに、前記２次元バーコード取得部は、前記ＩｏＴ装置の動作状態を確認するための動作状態確認情報を提供する確認用動作状態提供装置に接続するための動作状態確認先接続情報を前記所定の情報として、前記特定情報に関連付けられた前記ＩｏＴ情報を管理する前記ＩｏＴ情報管理装置から、前記特定情報に関連付けられた前記動作状態確認先接続情報を取得する先の前記ネットワーク上の位置を示す前記管理先接続情報を表示する２次元バーコードを取得し、前記通信制御部は、前記２次元バーコードが有する前記管理先接続情報を用いて、前記特定情報に対する前記動作状態確認先接続情報の送信を要求する状態確認先要求情報を送信する、ように機能させる。
【００６１】
これにより、状態確認端末を用いて、２次元バーコードを取得するだけで、ＩｏＴ装置の動作状態を、容易に、確認することができる。つまり、煩雑な操作を要せず、容易に、状態確認端末を用いて、ＩｏＴ装置の動作状態を確認することができる。
【００６２】
本発明に係る状態確認用プログラムでは、前記コンピュータを、さらに、前記２次元バーコード取得部は、前記ＩｏＴ装置が無線ＬＡＮを介して前記状態蓄積装置に接続するための初期通信設定情報を前記所定の情報として、前記特定情報に関連付けられた前記ＩｏＴ情報を管理する前記ＩｏＴ情報管理装置から、前記特定情報に関連付けられた前記初期通信設定情報を取得する先の前記ネットワーク上の位置を示す前記管理先接続情報を表示する２次元バーコードを取得し、前記通信制御部は、前記２次元バーコードが有する前記管理先接続情報を用いて、前記初期通信設定情報の送信を要求する初期通信設定要求情報を送信し、前記初期通信設定を取得すると、前記ＩｏＴ装置に接続し、前記ＩｏＴ装置に前記初期通信設定情報を提供する、ように機能させる。
【００６３】
これにより、状態確認端末を用いて、２次元バーコードを取得するだけで、ＩｏＴ装置を無線ＬＡＮを介して状態蓄積装置に、容易に、接続することができる。つまり、煩雑な操作を要せず、容易に、ＩｏＴ装置を無線ＬＡＮを介して状態蓄積装置に接続することができる。
【００６４】
本発明に係る状態確認用プログラムでは、前記コンピュータを、さらに、前記２次元バーコード取得部は、前記ＩｏＴ装置が設置される設置対象物を特定する設置対象物特定情報を、さらに、前記所定の情報として、前記特定情報に関連付けられた前記ＩｏＴ情報を管理する前記ＩｏＴ情報管理装置から、前記特定情報に関連付けられた前記設置対象物特定情報を取得する先の前記ネットワーク上の位置を示す管理先接続情報を表示する２次元バーコードを取得し、前記通信制御部は、前記２次元バーコードが有する前記管理先接続情報を用いて、前記特定情報、及び、前記設置対象物特定情報に対する前記動作状態確認先接続情報の送信を要求する状態確認先要求情報を送信する、ように機能させる。
【００６５】
これにより、状態確認端末を用いて、２次元バーコードを取得するだけで、ＩｏＴ装置とＩｏＴ情報の設置対象物とを関連付けた情報を、容易に、取得することができる。つまり、煩雑な操作を要せず、容易に、状態確認端末を用いて、ＩｏＴ装置とＩｏＴ情報の設置対象物と関連付けた情報を取得することができる。
【００６６】
本発明に係る状態確認用プログラムでは、前記コンピュータを、さらに、前記設置対象物特定情報を取得する設置対象物特定情報取得部、を有し、前記通信制御部は、さらに、前記２次元バーコードが有する前記管理先接続情報を用いて、前記特定情報に関連付けて、前記所定の情報として前記設置対象物特定情報を記録するように要求する装置登録要求情報を送信する、ように機能させる。
【００６７】
これにより、状態確認端末を用いて、２次元バーコードを取得するだけで、ＩｏＴ装置とＩｏＴ情報の設置対象物とを関連付けて、容易に、登録することができる。つまり、煩雑な操作を要せず、容易に、状態確認端末に、ＩｏＴ装置とＩｏＴ情報の設置対象物とを関連付けて登録することができる。
【図面の簡単な説明】
【００６８】
【図１】本発明に係る情報管理システムの一実施例である情報管理システム１００を示す図である。
【図２】ＩｏＴ装置１０１のハードウェア構成を示す図である。
【図３】ＩｏＴ装置１０１の筐体１０１ｋを示す図である。
【図４】情報蓄積装置１０３のハードウェア構成を示す図である。
【図５】ＩｏＴ管理端末１０５のハードウェア構成を示す図である。
【図５ａ】動作状態確認端末１０６のハードウェア構成を示す図である。
【図６】ＩｏＴ情報管理装置１０７のハードウェア構成を示す図である。
【図７】確認用動作状態提供装置１０９のハードウェア構成を示す図である。
【図８】ＩｏＴ情報のデータ構造を示す図である。
【図９】蓄積状態情報のデータ構造を示す図である。
【図９ａ】装置登録処理を示すフローチャートである。
【図１０】状態情報取得処理を示すフローチャートである。
【図１１】状態情報登録処理を示すフローチャートである。
【図１２】動作状態確認処理の動作状態確認先取得処理を示すフローチャートである。
【図１３】動作状態確認処理の確認用動作状態取得処理を示すフローチャートである。
【図１４】動作状態確認処理の確認用動作状態取得処理を示すフローチャートである。
【図１５】本発明に係る情報管理システムの一実施例である情報管理システム２００を示す図である。
【図１６】ＩｏＴ装置２０１のハードウェア構成を示す図である。
【図１７】使用者端末２０５のハードウェア構成を示す図である。
【図１７ａ】動作状態確認端末２０６のハードウェア構成を示す図である。
【図１８】ＩｏＴ情報管理装置２０７のハードウェア構成を示す図である。
【図１９】ＩｏＴ情報のデータ構造を示す図である。
【図２０】接続設定録処理を示すフローチャートである。
【図２１】接続設定録処理を示すフローチャートである。
【図２２】本発明に係る情報管理システムの一実施例である情報管理システム３００を示す図である。
【図２３】使用者端末３０５のハードウェア構成を示す図である。
【図２３ａ】動作状態確認端末３０６のハードウェア構成を示す図である。
【図２４】ＩｏＴ情報管理装置３０７のハードウェア構成を示す図である。
【図２５】ＩｏＴ情報のデータ構造を示す図である。
【図２６】装置登録処理を示すフローチャートである。
【図２７】動作状態確認処理の動作状態確認先取得処理を示すフローチャートである。
【図２８】本発明に係る情報管理システムの一実施例である情報管理システム４００を示す図である。
【図２９】ＩｏＴ装置４０１のハードウェア構成を示す図である。
【図２９ａ】ＩｏＴ装置４０１の筐体４０１ｋを示す図である。
【図３０】ＩｏＴ管理端末４０５のハードウェア構成を示す図である。
【図３１】ＩｏＴ情報管理装置４０７のハードウェア構成を示す図である。
【図３２】ＩｏＴ情報のデータ構造を示す図である。
【図３３】装置登録処理を示すフローチャートである。
【図３４】状態情報登録処理を示すフローチャートである。
【図３５】動作状態確認処理の動作状態確認先取得処理を示すフローチャートである。
【図３６】動作状態確認処理の確認用動作状態取得処理を示すフローチャートである。
【図３７】従来の情報管理システムを示す図である。
【発明を実施するための形態】
【００６９】
以下、本発明の実施例について、図面を参照しながら詳細に説明していく。
【実施例１】
【００７０】
本発明に係る情報管理システムについて、図１に示す情報管理システム１００を例に説明する。情報管理システム１００は、工場等に設置され、所定の状態情報、例えば、設置される機械の温度や、気温を取得するＩｏＴ（Ｉｎｔｅｒｎｅｔ ｏｆ Ｔｈｉｎｇｓ）装置１０１の動作状態を、所望時にＩｏＴ管理端末１０５を用いて、容易に確認できるシステムである。
【００７１】
第１  ハードウェア構成
１．情報管理システム１００
情報管理システム１００は、ＩｏＴ装置１０１、情報蓄積装置１０３、ＩｏＴ管理端末１０５、動作状態確認端末１０６、ＩｏＴ情報管理装置１０７、及び、確認用動作状態提供装置１０９を有している。ＩｏＴ装置１０１、情報蓄積装置１０３、ＩｏＴ管理端末１０５、動作状態確認端末１０６、ＩｏＴ情報管理装置１０７、及び、確認用動作状態提供装置１０９は、互いに、情報を送受信できるように接続されている。
【００７２】
ＩｏＴ装置１０１は、工場に設置される機械等、状態情報の取得が費用な所望の位置に設置される。ＩｏＴ装置１０１は、機械の作動温度や振動等、機械の状態を示す状態情報を、所定時間毎に、情報蓄積装置１０３へ送信する。ＩｏＴ装置１０１は、表面に、自身の動作状態を確認するため動作状態確認先接続情報を管理するＩｏＴ情報管理装置１０７に接続するための管理先接続情報を有する２次元バーコード１０１ｍを有している。
【００７３】
情報蓄積装置１０３は、ＩｏＴ装置１０１から取得した状態情報を記憶、保持する。
【００７４】
ＩｏＴ管理端末１０５は、ＩｏＴ装置１０１が有する２次元バーコード１０１ｍを読み取り、２次元バーコード１０１ｍを読み取ったＩｏＴ装置１０１に関する各種の情報を管理する接続設定管理装置１０７に接続するための管理先接続情報を取得する。ＩｏＴ管理端末１０５は、取得した管理先接続情報を用いてＩｏＴ情報管理装置１０７に接続し、２次元バーコード１０１ｍを読み取ったＩｏＴ装置１０１のＩｏＴ情報管理装置１０７への登録等、ＩｏＴ装置１０１に関する情報を管理する。
【００７５】
動作状態確認端末１０６は、ＩｏＴ装置１０１が有する２次元バーコード１０１ｍを読み取り、２次元バーコード１０１ｍを読み取ったＩｏＴ装置１０１に関する動作状態確認先接続情報を管理する接続設定管理装置１０７に接続するための管理先接続情報を取得する。動作状態確認端末１０６は、取得した管理先接続情報を用いてＩｏＴ情報管理装置１０７に接続し、２次元バーコード１０１ｍを読み取ったＩｏＴ装置１０１に関する動作状態確認先接続情報を取得する。動作状態確認端末１０６は、取得した動作状態確認先接続情報を用いて、確認用動作状態提供装置１０９に接続し、対応する動作状態確認情報を取得し、表示する。
【００７６】
ＩｏＴ情報管理装置１０７は、ＩｏＴ装置１０１に関する各種の情報を管理する。特に、ＩｏＴ情報管理装置１０７は、ＩｏＴ装置１０１と、情報蓄積装置１０３からＩｏＴ装置１０１が送信した状態情報を取得するための状態取得先接続情報と、を関連づけて管理する。
【００７７】
確認用動作状態提供装置１０９は、動作状態確認端末１０６からの要求に従い、ＩｏＴ装置１０１の動作状態を示す動作状態情報を送信する。
【００７８】
これにより、動作状態確認端末１０６で２次元バーコード１０１ｍを取得するだけで、容易に、ＩｏＴ装置１０１の動作状態を確認できる。
【００７９】
２．ＩｏＴ装置１０１
ＩｏＴ装置１０１のハードウェア構成について図２を用いて説明する。ＩｏＴ装置１０１は、ＣＰＵ１０１ａ、メモリ１０１ｂ、通信回路１０１ｈ、状態情報取得センサ１０１ｊ、動作状態確認ボタン１０１ｋ、及び、筐体１０１ｎを有している。
【００８０】
ＣＰＵ１０１ａは、メモリ１０１ｂに記録されているオペレーティング・システム（ＯＳ）、状態情報取得登録プログラム等その他のアプリケーションに基づいた処理を行う。メモリ１０１ｂは、ＣＰＵ１０１ａに対して作業領域を提供する。また、メモリ１０１ｂは、オペレーティング・システム（ＯＳ）、装置登録プログラム、状態情報取得登録プログラム等その他のアプリケーションのプログラム、及び、各種データを記録保持する。さらに、メモリ１０１ｂは、自身を一意に特定する特定情報、及び、通信回路１０１ｈが状態情報を登録する先のネットワーク上のアドレスを示す状態登録先接続情報を有している。
【００８１】
通信回路１０１ｈは、移動体通信システムの通信回線を用いて、情報蓄積装置１０３等の外部の通信機器と、状態情報等の情報を送受信する。状態情報取得センサ１０１jは、所定の状態を示す情報、例えば温度や振動を検知する。
【００８２】
動作状態確認ボタン１０１ｋは、外部からの操作によって、操作時点でメモリ１０１ｂに記憶保持している状態情報を情報蓄積装置１０３に送信する動作確認用のボタンである。
【００８３】
筐体１０１ｎは、ＣＰＵ１０１ａ等の電子部品を収納、保護する。筐体１０１ｎの外観を図３に示す。筐体１０１ｎは、表面に、ＩｏＴ管理端末１０５を介して情報蓄積装置１０３から自身の状態情報を取得するため状態取得先接続情報を管理するＩｏＴ情報管理装置１０７に接続するための管理先接続情報を有する管理先接続情報・特定情報提供部としての２次元バーコード１０１ｍを有している。また、筐体１０１ｎは、動作状態確認ボタン１０１ｋを有している。
【００８４】
３．情報蓄積装置１０３
情報蓄積装置１０３のハードウェア構成について図４を用いて説明する。情報蓄積装置１０３は、ＣＰＵ１０３ａ、メモリ１０３ｂ、ハードディスクドライブ１０３ｃ（以下、ＨＤＤ１０３ｃとする）、キーボード１０３ｄ、マウス１０３ｅ、ディスプレイ１０３ｆ、光学式ドライブ１０３ｇ、及び、通信回路１０３ｈを有する。
【００８５】
ＣＰＵ１０３ａは、ＨＤＤ１０３ｃに記録されているオペレーティング・システム（ＯＳ）、状態情報登録表示プログラム等その他のアプリケーションに基づいた処理を行う。メモリ１０３ｂは、ＣＰＵ１０３ａに対して作業領域を提供する。ＨＤＤ１０３ｃは、オペレーティング・システム（ＯＳ）、状態情報登録表示プログラム等その他のアプリケーションのプログラム、及び、ＩｏＴ装置１０１から取得する状態情報、その他のデータを記録保持する。
【００８６】
キーボード１０３ｄ、マウス１０３ｅは、外部からの命令を受け付ける。ディスプレイ１０３ｆは、ユーザーインターフェイス等の画像を表示する。光学式ドライブ１０３ｇは、状態情報登録表示プログラムが記録されている光学式メディア１０３ｐから状態情報登録表示プログラムを読み取り、また、他の光学式メディアからその他のアプリケーションのプログラムを読み取る等、光学式メディアからのデータの読み取りを行う。通信回路１０３ｈは、所定のネットワークに接続し、ＩｏＴ装置１０１、ＩｏＴ管理端末１０５等の外部の通信機器との情報の送受信を行う。なお、通信回路１０３ｈには、予め、ネットワーク上の位置を一意に特定するアドレスが設定されている。
【００８７】
４．ＩｏＴ管理端末１０５
ＩｏＴ管理端末１０５のハードウェア構成について図５を用いて説明する。ＩｏＴ管理端末１０５は、ＣＰＵ１０５ａ、メモリ１０５ｂ、ディスプレイ１０５ｆ、通信回路１０５ｈ、及び、カメラユニット１０５ｉを有している。
【００８８】
ＣＰＵ１０５ａは、メモリ１０５ｂに記録されているオペレーティング・システム（ＯＳ）、ＩｏＴ管理端末プログラム等その他のアプリケーションに基づいた処理を行う。メモリ１０５ｂは、ＣＰＵ１０５ａに対して作業領域を提供する。また、メモリ１０５ｂは、オペレーティング・システム（ＯＳ）、ＩｏＴ管理端末プログラム等その他のアプリケーションのプログラム、及び、各種データを記録保持する。
【００８９】
ディスプレイ１０５ｆは、ユーザーインターフェイス等の画像を表示する。通信回路１０５ｈは、移動体通信システムの通信回線を用いて、ＩｏＴ情報管理装置１０７等の外部の通信機器との情報の送受信を行う。カメラユニット１０５ｉは、２次元バーコードの画像等、各種画像を取得する。
【００９０】
５．動作状態確認端末１０６
動作状態確認端末１０６のハードウェア構成について図５ａを用いて説明する。動作状態確認端末１０６は、ＣＰＵ１０６ａ、メモリ１０６ｂ、ディスプレイ１０６ｆ、通信回路１０６ｈ、及び、カメラユニット１０６ｉを有している。
【００９１】
ＣＰＵ１０６ａは、メモリ１０６ｂに記録されているオペレーティング・システム（ＯＳ）、動作状態確認プログラム等その他のアプリケーションに基づいた処理を行う。メモリ１０６ｂは、ＣＰＵ１０６ａに対して作業領域を提供する。また、メモリ１０６ｂは、オペレーティング・システム（ＯＳ）、動作状態確認プログラム等その他のアプリケーションのプログラム、及び、各種データを記録保持する。
【００９２】
ディスプレイ１０６ｆは、ユーザーインターフェイス等の画像を表示する。通信回路１０６ｈは、移動体通信システムの通信回線を用いて、ＩｏＴ情報管理装置１０７、確認用動作状態提供装置１０９等の外部の通信機器との情報の送受信を行う。カメラユニット１０６ｉは、２次元バーコードの画像等、各種画像を取得する。
【００９３】
なお、管理端末１０６としては、一般的なスマートフォンを利用することができる。この場合、スマートフォンで動作する、一般的な、２次元バーコード取得アプリ、ブラウザアプリ等、一般的に使用されているアプリを、動作状態確認プログラムとして使用できる。
【００９４】
６．ＩｏＴ情報管理装置１０７
ＩｏＴ管理装置１０７のハードウェア構成について図６を用いて説明する。ＩｏＴ情報管理装置１０７は、ＣＰＵ１０７ａ、メモリ１０７ｂ、ハードディスクドライブ１０７ｃ（以下、ＨＤＤ１０７ｃとする）、キーボード１０７ｄ、マウス１０７ｅ、ディスプレイ１０７ｆ、光学式ドライブ１０７ｇ、及び、通信回路１０７ｈを有する。
【００９５】
ＣＰＵ１０７ａは、ＨＤＤ１０７ｃに記録されているオペレーティング・システム（ＯＳ）、ＩｏＴ情報管理プログラム等その他のアプリケーションに基づいた処理を行う。メモリ１０７ｂは、ＣＰＵ１０７ａに対して作業領域を提供する。ＨＤＤ１０７ｃは、オペレーティング・システム（ＯＳ）、ＩｏＴ情報管理プログラム等その他のアプリケーションのプログラム、動作状態確認先接続情報（後述）、その他のデータを記録保持する。
【００９６】
キーボード１０７ｄ、マウス１０７ｅは、外部からの命令を受け付ける。ディスプレイ１０７ｆは、ユーザーインターフェイス等の画像を表示する。光学式ドライブ１０７ｇは、ＩｏＴ情報管理プログラムが記録されている光学式メディア１０７ｐからＩｏＴ情報管理プログラムを読み取り、また、他の光学式メディアからその他のアプリケーションのプログラムを読み取る等、光学式メディアからのデータの読み取りを行う。通信回路１０７ｈは、所定のネットワークに接続し、ＩｏＴ管理端末１０５等の外部の通信機器との情報の送受信を行う。なお、通信回路１０７ｈには、予め、ネットワーク上の位置を一意に特定するアドレスが設定されている。
【００９７】
７．確認用動作状態提供装置１０９
確認用動作状態提供装置１０９のハードウェア構成について図７を用いて説明する。確認用動作状態提供装置１０９は、ＣＰＵ１０９ａ、メモリ１０９ｂ、ハードディスクドライブ１０９ｃ（以下、ＨＤＤ１０７９とする）、キーボード１０７９、マウス１０９ｅ、ディスプレイ１０９ｆ、光学式ドライブ１０９ｇ、及び、通信回路１０９ｈを有する。
【００９８】
ＣＰＵ１０９ａは、ＨＤＤ１０９ｃに記録されているオペレーティング・システム（ＯＳ）、確認用動作状態提供プログラム等その他のアプリケーションに基づいた処理を行う。メモリ１０９ｂは、ＣＰＵ１０９ａに対して作業領域を提供する。ＨＤＤ１０９ｃは、オペレーティング・システム（ＯＳ）、確認用動作状態提供プログラム等その他のアプリケーションのプログラム、その他のデータを記録保持する。
【００９９】
キーボード１０９ｄ、マウス１０９ｅは、外部からの命令を受け付ける。ディスプレイ１０９ｆは、ユーザーインターフェイス等の画像を表示する。光学式ドライブ１０９ｇは、確認用動作状態提供プログラムが記録されている光学式メディア１０９ｐから確認用動作状態提供プログラムを読み取り、また、他の光学式メディアからその他のアプリケーションのプログラムを読み取る等、光学式メディアからのデータの読み取りを行う。通信回路１０９ｈは、所定のネットワークに接続し、ＩｏＴ管理端末１０５等の外部の通信機器との情報の送受信を行う。なお、通信回路１０９ｈには、予め、ネットワーク上の位置を一意に特定するアドレスが設定されている。
【０１００】
第２  ２次元バーコード
ＩｏＴ装置１０１の筐体１０１ｋが表面に有する２次元バーコードについて説明する。２次元バーコードは、ネットワークを介して、ＩｏＴ装置１０１の動作確認をするための確認用動作状態情報の取得先の動作状態確認先接続情報を有するＩｏＴ情報管理装置１０７に接続するためのアドレスを示す管理先接続情報を有している。また、管理先接続情報は、２次元バーコードが表示されるＩｏＴ装置１０１を一意に特定する特定情報を有している。
【０１０１】
例えば、ＩｏＴ装置１０１の特定情報が「０１０４―５１２４―２８９０」であり、ＩｏＴ情報管理装置１０７が、ＴＣＰ／ＩＰプロトコルを利用するネットワーク上においてアドレス「ｈｔｔｐ：／／ＷＷＷ．ｘｘｘｘｘ．ｃｏ．ｊｐ／」を用いて一意に特定できる場合、２次元バーコードは、管理先接続情報として「ｈｔｔｐ：／／ＷＷＷ．ｘｘｘｘｘ．ｃｏ．ｊｐ／？ｓｅｎｓｏｒｉｄ＝０１０４―５１２４―２８９０」を有している。ここで、管理先接続情報では、「？ｓｅｎｓｏｒｉｄ＝０１０４―５１２４―２８９０」がクエリパラメータとして設定されている。管理先接続情報を用いて、ＩｏＴ情報管理装置１０７にアクセスしたＩｏＴ管理端末１０５は、変数名「ｓｅｎｓｏｒｉｄ」が変数値「０１０４―５１２４―２８９０」で特定されるＩｏＴ情報、つまり、特定情報「０１０４―５１２４―２８９０」で特定されるＩｏＴ装置１０１の動作状態確認先接続情報（後述）を取得する。
【０１０２】
第３  使用する情報
（１）ＩｏＴ情報
ＩｏＴ情報管理装置１０７が有するＩｏＴ情報について説明する。ＩｏＴ情報は、各ＩｏＴ装置１０１と、動作状態情報の確認に必要な接続情報等、各種の接続情報とを関連づけた情報である。
【０１０３】
ＩｏＴ情報のデータ構造を図８に示す。ＩｏＴ情報は、特定情報記述領域、状態登録先接続情報記述領域、及び、動作状態確認先接続情報記述領域を有している。特定情報記述領域には、各ＩｏＴ装置１０１を一意に特定する特定情報が記述される。状態登録先接続情報記述領域には、状態情報を登録する先をネットワーク上で一意に特定する状態登録先接続情報が記述される。例えば、情報蓄積装置１０３のネットワーク上のアドレスが記述される。動作状態確認先接続情報記述領域には、ＩｏＴ装置１０１の動作状態を確認する先をネットワーク上で一意に特定する動作状態確認先接続情報が記述される。例えば、確認用動作状態提供装置１０９のネットワーク上のアドレスが記述される。
【０１０４】
（２）蓄積状態情報
状態情報蓄積装置１０３が有する蓄積状態情報について説明する。蓄積状態情報は、各ＩｏＴ装置１０１と、ＩｏＴ装置のそれぞれが取得する状態情報とを関連づけて蓄積した情報である。
【０１０５】
蓄積状態情報のデータ構造を図９に示す。蓄積状態情報は、特定情報記述領域、情報取得時間記述領域、第１状態記述領域、及び、第２状態記述領域を有している。特定情報記述領域には、各ＩｏＴ装置１０１を一意に特定する特定情報が記述される。第１状態記述領域には、ＩｏＴ装置１０１が取得する状態情報のうちの一つのものが記述される。例えば、ＩｏＴ装置１０１が取得する温度に関する状態情報が記述される。第２状態記述領域には、ＩｏＴ装置１０１が取得する状態情報のうち、第１状態記述領域に記載されるもの以外の一つのものが記述される。例えば、ＩｏＴ装置１０１が取得する振動に関する状態情報が記述される。
【０１０６】
第４  情報管理システム１００の動作
情報管理システム１００の動作について、以下において説明する。情報管理システム１００では、ＩｏＴ装置１０１をＩｏＴ情報管理装置１０７に登録する装置登録処理、ＩｏＴ装置１０１が状態情報を取得する状態情報取得処理、ＩｏＴ装置１０１から情報管理装置１０３に状態情報を登録する状態情報登録処理、及び、動作状態確認端末１０６が確認用動作状態提供装置１０９から確認用動作状態情報を取得し、表示する動作状態確認処理が実行される。なお、情報管理システム１００を利用する者は、事前に、ＩｏＴ装置１０１を所定の場所、例えば、装置や機械に設置しておく。また、設置するＩｏＴ装置１０１を情報蓄積装置１０３に登録しておき、取得した状態情報をＨＤＤ１０３ｃに蓄積できるようにしておく。
【０１０７】
１．装置登録処理
装置登録処理について、図９ａを用いて説明する。ＩｏＴ管理端末１０５のＣＰＵ１０５ａは、ＩｏＴ管理端末プログラムが起動されたと判断すると（Ｓ５０１）、カメラユニット１０５ｉを起動し（Ｓ５０３）、２次元バーコードの取得待機状態とする。ＣＰＵ１０５ａは、カメラユニット１０５ｉを介して２次元バーコードを取得したと判断すると（Ｓ５０５）、取得した２次元バーコードを解析し、管理先接続情報を取得する（Ｓ５０７）。ＣＰＵ１０５ａは、管理先接続情報を用いて、特定情報で特定されるＩｏＴ装置１０１をＩｏＴ情報管理装置１０７に登録すること、つまり、特定情報で特定されるＩｏＴ装置１０１に関する各種情報が互いに関連付けられたＩｏＴ情報がＩｏＴ情報管理装置１０７のＨＤＤ１０７ｃに記憶保持されることを要求する装置登録要求情報を送信する（Ｓ５０９）。
【０１０８】
ここで、ＩｏＴ管理端末１０５は、装置登録要求情報を送信する際に、２次元バーコードから取得した監査先接続情報に加えて、ＩｏＴ装置１０１の登録を要求する旨を示す情報を、例えば、通信ヘッダやクエリパラメータへの記述、サーバーサイドプログラムを特定する記述等、所定の方法を用いて明示する。以降、ＩｏＴ管理端末１０５における、ＩｏＴ情報管理装置１０７に対する各種の要求情報の送信において同様である。
【０１０９】
ＩｏＴ情報管理装置１０７のＣＰＵ１０７ａは、ＩｏＴ管理端末１０５から装置登録要求情報を取得すると（Ｓ５１１）、取得した装置登録要求情報からＩｏＴ装置１０１の特定情報を取得する（Ｓ５１３）。ＣＰＵ１０７ａは、ＨＤＤ１０７ｃに記憶保持しているＩｏＴ情報（図８参照）に、特定情報で特定されるＩｏＴ情報が既に登録されているかを判断する（Ｓ５１５）。
【０１１０】
ＣＰＵ１０７ａは、特定情報で特定されるＩｏＴ情報が、まだ、ＩｏＴ情報に登録されていないと判断すると、ＩｏＴ情報の特定情報記述領域にステップＳ５１３で取得した特定情報を記述したレコードを生成し、特定情報で特定されるＩｏＴ装置１０１に関するＩｏＴ情報をＩｏＴ情報管理装置１０７に登録する（Ｓ５１７）。なお、ＩｏＴ情報において、特定情報に記述領域以外の領域の値については、ＩｏＴ情報管理装置１０７の管理者等が、適宜、入力する。ＣＰＵ１０７ａは、ＩｏＴ情報の登録が終了すると、登録が完了した旨の装置登録応答情報をＩｏＴ管理端末１０５へ送信する（Ｓ５１９）。
【０１１１】
なお、ＣＰＵ１０７ａは、ステップＳ５１５において、特定情報で特定されるＩｏＴ情報が、既に、ＩｏＴ情報に登録されていると判断すると、特定情報で特定されるＩｏＴ情報が既に登録されている旨の装置登録応答情報をＩｏＴ管理端末１０５へ送信する（Ｓ５１９）。
【０１１２】
ＩｏＴ管理端末１０５のＣＰＵ１０５ａは、ＩｏＴ情報管理装置１０７から装置登録応答情報を取得すると（Ｓ５２１）、取得した装置登録情報をディスプレイ１０５ｆに表示する（Ｓ５２３）。
【０１１３】
２．状態情報取得処理
状態情報取得処理について、図１０を用いて説明する。ＩｏＴ装置１０１のＣＰＵ１０１ａは、所定時間毎に（Ｓ６０１）、状態情報を取得し、（Ｓ６０３）、取得した時間と関連付けてメモリ１０１ｂに記憶保持する（Ｓ６０５）。ＣＰＵ１０１ａは、動作が終了するまで、ステップＳ６０１?ステップＳ６０５の処理を繰り返す。
【０１１４】
３．状態情報登録処理
状態情報登録処理について、図１１を用いて説明する。ＩｏＴ装置１０１のＣＰＵ１０１ａは、所定時間毎に（Ｓ７０１）、メモリ１０１ｂから状態情報を登録する先のアドレスを示す状態登録先接続情報、及び、ＩｏＴ装置１０１の特定情報を取得し（Ｓ７０３）、また、メモリ１０１ｂに記憶保持されている状態情報を取得する（Ｓ７０５）。ＣＰＵ１０１ａは、取得した状態情報、及び、特定情報を状態登録情報として、状態登録先接続情報を用いて情報蓄積装置１０３へ送信する（Ｓ７０７）。なお、ＩｏＴ装置１０１では、１日毎、６時間毎等、電源容量と、ＩｏＴ装置１０１の動作可能時間とを考慮して、情報蓄積装置１０３への登録間隔を決定しておく。ＣＰＵ１０１ａは、動作が終了するまで（Ｓ７０９）、ステップＳ７０１?ステップＳ７０７の処理を繰り返す。
【０１１５】
情報蓄積装置１０３のＣＰＵ１０３ａは、ＩｏＴ装置１０１から状態登録情報を取得すると（Ｓ７１１）、取得した状態登録情報からＩｏＴ装置１０１を特定する特定情報を抽出する（Ｓ７１３）。ＣＰＵ１０３ａは、取得した特定情報で特定されるＩｏＴ装置１０１に関連づけて、取得した状態情報を、ＩｏＴ装置１０１について予め確保しておいたＨＤＤ１０３ｃの所定の領域に記憶保持する（Ｓ７１５）。ＣＰＵ１０３ａは、動作が終了するまで（Ｓ７１７）、ステップＳ７１１?ステップＳ７１５の処理を繰り返す。本システムを利用するユーザー側のシステムは、情報蓄積装置１０３から状態登録情報（データ）を受け取り、データストレージあるいは分析処理装置に情報を蓄積する。
【０１１６】
４．動作状態確認処理
動作状態確認処理について説明する。動作状態確認処理は、動作状態確認端末１０６が確認用動作状態提供装置１０９に接続するための動作状態確認先接続情報を取得するための動作状態確認先取得処理、及び、取得した動作状態確認先接続情報を用いて確認用動作状態情報を取得する確認用動作状態取得処理を有している。
【０１１７】
（１）動作状態確認先取得処理
動作状態確認先取得処理について、図１２を用いて説明する。動作状態確認端末１０６のＣＰＵ１０６ａは、動作状態確認プログラムが起動されたと判断すると（Ｓ８０１）、カメラユニット１０６ｉを起動し（Ｓ８０３）、２次元バーコードの取得待機状態とする。ＣＰＵ１０６ａは、カメラユニット１０６ｉを介して２次元バーコードを取得したと判断すると（Ｓ８０５）、取得した２次元バーコードを解析し、管理先接続情報を取得する（Ｓ８０９）。ＣＰＵ１０６ａは、管理先接続情報を用いて、動作状態を確認しようとするＩｏＴ装置１０１に関する確認用動作状態情報を取得するための状態確認先接続情報の送信を要求する状態確認先要求情報を送信する（Ｓ８１１）。
【０１１８】
情報提供装置１０３のＣＰＵ１０３ａは、ＩｏＴ管理端末１０５から状態確認先要求情報を取得すると（Ｓ８２１）、取得した状態確認先要求情報からＩｏＴ装置１０１の特定情報を取得する（Ｓ８２３）。ＣＰＵ１０３ａは、ＨＤＤ１０３ｃに記憶保持しているＩｏＴ情報（図８参照）から特定情報に対応する動作状態確認先接続情報を取得し（Ｓ８２５）、状態確認先応答情報として動作状態確認端末１０６へ送信する（Ｓ８２７）。
【０１１９】
動作状態確認端末１０６のＣＰＵ１０６ａは、ＩｏＴ情報管理装置１０７から状態確認先応答情報を取得すると（Ｓ８３１）、取得した状態確認先応答情報から動作状態確認先接続情報をディスプレイ１０６ｆに表示する（Ｓ８３３）。
【０１２０】
（２）確認用動作状態取得処理
確認用動作状態取得処理について、図１３、図１４を用いて説明する。動作状態確認端末１０６を用いてＩｏＴ装置１０１の動作状態を確認しようとする使用者は、確認用動作状態提供装置１０９に接続する前に、ＩｏＴ装置１０１に、メモリ１０１ｂに記憶保持している状態情報を情報蓄積装置１０３に送信させるために、動作状態確認ボタン１０１ｋを操作してもよい。これは、ＩｏＴ装置１０１は、限られた電力の効率的利用のため、常時、状態情報を情報蓄積装置１０３に送信していないものもあるため、動作確認時点でＩｏＴ装置１０１が適切に動作しているか否かを確認するために、直近に取得した状態情報を確認できるようにするためである。
【０１２１】
図１３に示すように、ＩｏＴ装置１０１のＣＰＵ１０１ａは、動作確認ボタン１０１ｋが操作されたと判断すると（Ｓ９０１）、メモリ１０１ｂに記憶保持している状態情報、及び、特定情報を取得する（Ｓ９０３）。ＣＰＵ１０１ａは、取得した状態情報を特定情報と関連付けて情報蓄積装置１０３へ送信する（Ｓ９０５）。
【０１２２】
情報蓄積装置１０３は、取得した特定情報、状態情報を、通常の状態情報の登録と同様に処理する（図１１参照）。
【０１２３】
図１４に示すように、動作状態確認端末１０６のＣＰＵ１０６ａは、メモリ１０６ｂに記憶保持している状態確認先接続情報、及び、ＩｏＴ装置１０１の特定情報を取得し（Ｓ１２１１）、状態確認先接続情報を用いて、確認用動作状態提供装置１０９に、特定情報で特定されるＩｏＴ装置１０１に関する確認用動作状態情報の送信を要求する確認用動作状態要求情報を送信する（Ｓ１２１３）。
【０１２４】
確認用動作状態提供装置１０９のＣＰＵ１０９ａは、ＩｏＴ管理端末１０５から確認用動作状態要求情報を取得すると（Ｓ１２２１）、取得した確認用動作状態要求情報からＩｏＴ装置１０１の特定情報を取得する（Ｓ１２２３）。ＣＰＵ１０９ａは、取得した特定情報で特定されるＩｏＴ装置１０１の所定期間の状態情報を送信するよう要求する確認用状態要求情報を送信する（Ｓ１２２５）。
【０１２５】
情報蓄積装置１０３のＣＰＵ１０３ａは、確認用状態要求情報を取得すると（Ｓ１２３１）、取得した確認用動作状態要求情報からＩｏＴ装置１０１の特定情報を取得する（Ｓ１２３３）。ＣＰＵ１０３ａは、ＨＤＤ１０３ｃに記憶保持している蓄積状態情報（図９参照）から、特定情報に対応するＩｏＴ装置１０１に関して、検知時間領域に記述されている検知時間が最も新しいものから所定期間の状態情報を取得し（Ｓ１２３５）、確認用状態応答情報として確認用動作状態提供装置１０９へ送信する（Ｓ１２３７）。
【０１２６】
確認用動作状態提供装置１０９のＣＰＵ１０９ａは、確認用状態応答情報を取得すると（Ｓ１２２７）、取得した確認用状態応答情報から特定情報、及び、状態情報を取得し、動作状態確認端末１０６のディスプレイ１０６ｆに表示できる確認用動作状態情報を生成する（Ｓ１２２８）。ＣＰＵ１０９ａは、生成した確認用動作状態情報を動作状態確認端末１０６へ送信する（Ｓ１２２９）。
【０１２７】
動作状態確認端末１０６のＣＰＵ１０６ａは、確認用動作状態提供装置１０９から確認用動作状態情報を取得すると（Ｓ１２１５）、取得した確認用動作状態情報をディスプレイ１０６ｆに表示する（Ｓ１２１７）。
【０１２８】
このように、情報管理システム１００では、ＩｏＴ装置１０１に表示する２次元バーコードと、ＩｏＴ情報管理装置１０９によるＩｏＴ装置１０１に関する各種情報の紐づけとにより、ＩｏＴ管理端末１０５を用いた管理者によるＩｏＴ情報管理と、動作状態情報確認端末１０６を用いた動作状態確認作業者による動作状態確認との両者を、同時に、実現出来る。なお、動作状態確認作業者は、一般的に、ＩｏＴ情報管理者に比して、ＩｏＴ情報へのアクセスが限定されていることが多い。情報管理システム１００では、アクセス権が異なる者が混在していても、それぞれのアクセス権に応じた作業を、同時に、実現できる。
【０１２９】
また、動作状態確認端末１０６は、不特定多数の動作状態確認作業者が使用するため、一般的に使用されているスマートフォン、及び、スマートフォンで動作する２次元バーコード取得アプリ、ブラウザアプリ等、一般的に使用されているアプリを、動作状態確認プログラムとして使用できる。このため、特別な動作状態確認端末１０６を用意する必要がない。また、動作状態確認作業者は、手慣れたスマートフォンを使用できるため、動作状態確認端末１０６の操作に戸惑うことなく、容易に、動作状態確認作業を実行することができる。
【実施例２】
【０１３０】
前述の実施例１における情報管理システム１００では、ＩｏＴ装置１０１、ＩｏＴ管理端末１０５、及び、動作状態確認端末１０６は、移動体通信システムの通信回線を用いて、状態蓄積装置１０３、ＩｏＴ情報管理装置１０７、確認用動作状態提供装置１０９と情報を送受信していた。一方、本実施例に係る情報管理システム２００では、ＩｏＴ装置１０１、ＩｏＴ管理端末１０５、及び、動作状態確認端末１０６は、内部ネットワークと外部ネットワークとを接続するルータＲＴを介して、外部ネットワークに位置する状態蓄積装置１０３、ＩｏＴ情報管理装置１０７、確認用動作状態提供装置１０９と情報を送受信するものである。以下においては、前述の実施例と同様の構成については同様の符号を付し、詳細な説明を省略する。
【０１３１】
第１  ハードウェア構成
１．情報管理システム２００
情報管理システム２００は、ＩｏＴ装置２０１、情報蓄積装置１０３、ＩｏＴ管理端末２０５、動作状態確認端末２０６、ＩｏＴ情報管理装置２０７、及び、確認用動作状態提供装置１０９を有している。ＩｏＴ装置２０１、ＩｏＴ管理端末２０５、及び、動作状態確認端末２０６は、内部ネットワークに位置し、情報蓄積装置１０３、ＩｏＴ情報管理装置２０７、及び、確認用動作状態提供装置１０９は、外部ネットワークに位置する。内部ネットワークと外部ネットワークとは、ルータＲＴを介して接続される。ＩｏＴ装置２０１、ＩｏＴ管理端末２０５、動作状態確認端末２０６と、情報蓄積装置１０３、ＩｏＴ情報管理装置２０７、確認用動作状態提供装置１０９とは、ルータＲＴを介してネットワークで接続されており、互いに、情報を送受信できる。
【０１３２】
ルータＲＴは、一般的に使用されているものである。ＩｏＴ装置１０１、情報蓄積装置１０３、ＩｏＴ管理端末１０５、動作状態確認端末２０６、ＩｏＴ情報管理装置１０７、及び、確認用動作状態提供装置１０９は、ＴＣＰ／ＩＰプロトコルを利用して互いに位置を一意に特定される。
【０１３３】
２．ＩｏＴ装置２０１
ＩｏＴ装置２０１のハードウェア構成について図１６を用いて説明する。ＩｏＴ装置２０１は、ＣＰＵ１０１ａ、メモリ２０１ｂ、通信回路２０１ｈ、状態情報取得センサ１０１ｊ、動作状態確認ボタン１０１ｋ、及び、筐体１０１ｎを有している。
【０１３４】
メモリ２０１ｂは、ＣＰＵ１０１ａに対して作業領域を提供する。また、メモリ２０１ｂは、オペレーティング・システム（ＯＳ）、状態情報取得登録プログラム、初期通信設定プログラム等その他のアプリケーションのプログラム、及び、各種データを記録保持する。メモリ１０１ｂは、自身を一意に特定する特定情報、及び、無線ＬＡＮにおけるＳＳＩＤ、暗号化キーを有する初期通信設定情報を有している。
【０１３５】
通信回路２０１ｈは、無線ＬＡＮを用いて、ルータＲＴを介して情報蓄積装置１０３等の外部ネットワークの通信機器と、状態情報等の情報を送受信する。また、内部ネットワークに位置する使用者端末２０５と直接接続し、情報を送受信する。
【０１３６】
その他の構成については、ＩｏＴ装置１０１と同様である。
【０１３７】
３．ＩｏＴ管理端末２０５
ＩｏＴ管理端末２０５のハードウェア構成について図１７を用いて説明する。ＩｏＴ管理端末２０５は、ＣＰＵ１０５ａ、メモリ２０５ｂ、ディスプレイ１０５ｆ、通信回路２０５ｈ、及び、カメラユニット１０５ｉを有している。
【０１３８】
メモリ２０５ｂは、ＣＰＵ１０５ａに対して作業領域を提供する。また、メモリ２０５ｂは、オペレーティング・システム（ＯＳ）、ＩｏＴ管理プログラム、初期通信設定プログラム等その他のアプリケーションのプログラム、及び、各種データを記録保持する。
【０１３９】
通信回路２０５ｈは、無線ＬＡＮを用いて、ルータＲＴを介してＩｏＴ情報管理装置２０７、確認用動作状態提供装置１０９等の外部ネットワークの通信機器と、状態情報等の情報を送受信する。また、内部ネットワークに位置するＩｏＴ装置２０１と直接接続し、情報を送受信する。
【０１４０】
その他の構成については、ＩｏＴ管理端末１０５と同様である。
【０１４１】
４．動作状態確認端末２０６
動作状態確認端末２０６のハードウェア構成について図１７ａを用いて説明する。動作状態確認端末２０６は、ＣＰＵ１０６ａ、メモリ２０６ｂ、ディスプレイ１０６ｆ、通信回路２０６ｈ、及び、カメラユニット１０６ｉを有している。
【０１４２】
メモリ２０６ｂは、ＣＰＵ１０６ａに対して作業領域を提供する。また、メモリ２０６ｂは、オペレーティング・システム（ＯＳ）、動作状態確認プログラム、初期通信設定プログラム等その他のアプリケーションのプログラム、及び、各種データを記録保持する。
【０１４３】
通信回路２０６ｈは、無線ＬＡＮを用いて、ルータＲＴを介してＩｏＴ情報管理装置２０７、確認用動作状態提供装置１０９等の外部ネットワークの通信機器と、状態情報等の情報を送受信する。なお、動作状態確認端末２０６としては、動作状態確認端末１０６と同様に、一般的なスマートフォンを利用することができる。
【０１４４】
その他の構成については、動作状態確認端末１０６と同様である。
【０１４５】
５．ＩｏＴ情報管理装置２０７
ＩｏＴ管理装置２０７のハードウェア構成について図１８を用いて説明する。ＩｏＴ情報管理装置２０７は、ＣＰＵ１０７ａ、メモリ１０７ｂ、ハードディスクドライブ２０７ｃ（以下、ＨＤＤ２０７ｃとする）、キーボード１０７ｄ、マウス１０７ｅ、ディスプレイ１０７ｆ、光学式ドライブ１０７ｇ、及び、通信回路１０７ｈを有する。
【０１４６】
ＨＤＤ２０７ｃは、オペレーティング・システム（ＯＳ）、ＩｏＴ情報管理プログラム等その他のアプリケーションのプログラム、動作状態確認先接続情報、状態登録先情報、初期通信設定情報（後述）、その他のデータを記録保持する。
【０１４７】
その他の構成については、ＩｏＴ情報管理装置１０７と同様である。
【０１４８】
第３  使用する情報
（１）ＩｏＴ情報
ＩｏＴ情報管理装置２０７が有するＩｏＴ情報について説明する。ＩｏＴ情報は、各ＩｏＴ装置１０１と、動作状態情報の確認に必要な接続情報等、各種の接続情報とを関連づけた情報である。
【０１４９】
ＩｏＴ情報のデータ構造を図１９に示す。ＩｏＴ情報は、特定情報記述領域、状態登録先接続情報記述領域、動作状態確認先接続情報記述領域、ＩｏＴ装置接続情報記述領域、及び、初期通信設定情報記述領域を有している。特定情報記述領域には、各ＩｏＴ装置１０１を一意に特定する特定情報が記述される。状態登録先接続情報記述領域には、状態情報を登録する先をネットワーク上で一意に特定する状態登録先接続情報が記述される。例えば、情報蓄積装置１０３のネットワーク上のアドレスが記述される。動作状態確認先接続情報記述領域には、ＩｏＴ装置１０１の動作状態を確認する先をネットワーク上で一意に特定する動作状態確認先接続情報が記述される。例えば、確認用動作状態提供装置１０９のネットワーク上のアドレスが記述される。
【０１５０】
初期通信設定情報記述領域には、予めＩｏＴ装置２０１に設定されている初期通信設定情報が記述される。初期通信設定情報は、無線ＬＡＮにおけるＳＳＩＤ、暗号化キー、及び、ＩｏＴ装置２０１を一意に特定するネットワーク上の位置情報である初期ＩＰ（Ｉｎｔｅｒｎｅｔ  Ｐｒｏｔｏｃｏｌ）アドレスを有している。使用者端末２０５が、ＩｏＴ装置２０１の初期通信設定情報を設定することによって、使用者端末２０５とＩｏＴ装置２０１との間で、無線ＬＡＮにおける直接的な接続（ａｄ  ｈｏｃモードでの接続）を確立できる。これにより、使用者端末２０５とＩｏＴ装置２０１との間で、ルータＲＴを介さずに情報を送受信できる。
【０１５１】
第４  情報管理システム２００の動作
情報管理システム２００の動作について、以下において説明する。情報管理システム２００では、ＩｏＴ装置１０１をルータＲＴを介して情報蓄積装置１０３に接続させ、状態情報の送信を可能とする接続設定処理、装置登録処理（図９ａ参照）、状態情報取得処理（図１０参照）、状態情報登録処理（図１１参照）、及び、動作状態確認処理（図１２〜図１４参照）が実行される。
【０１５２】
１．接続設定処理
接続設定処理について、図２０、図２１を用いて説明する。接続設定処理は、ＩｏＴ装置１０１を所定の場所に設置した段階で実行する処理である。
【０１５３】
情報管理システム２００を利用する者は、事前に、ＩｏＴ管理端末２０５をルータＲＴを介して情報を送受信できるように、通信回路２０５ｈを設定しておく。具体的には、ルータＲＴが無線ＬＡＮを利用する場合、ＩｏＴ管理端末２０５の通信回路２０５ｈの通信設定において、ＳＳＩＤ（Ｓｅｒｖｉｃｅ  Ｓｅｔ  ＩＤｅｎｔｉｆｉｅｒ）や暗号化キーを、ルータＲＴに接続できるように、事前に確認し、設定しておく。
【０１５４】
なお、実施例１と同様に、設置するＩｏＴ装置２０１の特定情報と、状態登録先接続情報、及び、初動作状態確認先接続情報とを関連付けたＩｏＴ情報をＩｏＴ情報管理装置２０７のＨＤＤ２０７ｃに記憶保持しておく（図８参照）。
【０１５５】
図２０に示すように、ＩｏＴ管理端末２０５のＣＰＵ１０５ａは、初期通信設定プログラムが起動されたと判断すると（Ｓ２００１）、カメラユニット１０５ｉを起動し（Ｓ２００３）、２次元バーコードの取得待機状態とする。ＣＰＵ１０５ａは、カメラユニット１０５ｉを介して２次元バーコードを取得したと判断すると（Ｓ２００５）、取得した２次元バーコードを解析し、管理先接続情報を取得する（Ｓ２００７）。ＣＰＵ１０５ａは、管理先接続情報を用いて、ルータＲＴを介して、ＩｏＴ情報管理装置２０７に対して、ＩｏＴ装置２０１に関する初期通信設定情報の取得を要求する初期通信設定要求情報を送信する（Ｓ２００９）。
【０１５６】
ＩｏＴ情報管理装置２０７のＣＰＵ１０７ａは、ＩｏＴ管理端末２０５から初期通信設定要求情報を取得すると（Ｓ２０１１）、初期通信設定要求情報からＩｏＴ装置２０１の特定情報を取得する（Ｓ２０１３）。ＣＰＵ１０７ａは、ＨＤＤ２０７ｃに記憶保持しているＩｏＴ情報から、特定情報に対応するＩｏＴ装置２０１の初期通信設定情報、及び、状態登録先接続情報を取得し（Ｓ２０１５）、初期通信設定応答情報として、ＩｏＴ管理端末１０５へ送信する（Ｓ２０１７）。
【０１５７】
ＩｏＴ管理端末２０５のＣＰＵ１０５ａは、ＩｏＴ情報管理装置２０７から初期通信設定応答情報を取得すると（Ｓ２０２１）、取得した接続設定情報から、初期通信設定情報、及び、状態登録先接続情報を取得し、メモリ２０５ｂに記憶保持する（Ｓ２０２３）。また、ＣＰＵ１０５ａは、現在の通信設定をルータ通信設定情報として、メモリ２０５ｂに一時記憶する（Ｓ２０２５）。
【０１５８】
ＣＰＵ１０５ａは、取得した初期通信設定情報を用いて、通信回路２０５ｈの設定を変更する（Ｓ２０２７）。これにより、ＩｏＴ装置２０１の通信回路２０１ｈとＩｏＴ管理端末２０５の通信回路２０５ｈとの無線ＬＡＮにおける通信設定が同じとなるため、具体的にはＳＳＩＤ、暗号化キーが同じとなるため、ＩｏＴ装置２０１とＩｏＴ管理端末２０５との間で、アド・ホック（ａｄ  ｈｏｃ）モードでの直接接続が可能となる。なお、ＣＰＵ１０５ａは、通信回路２０５ｈに、ネットワーク上の位置として、同一ネットワークに属するが、取得した初期通信設定情報に含まれるＩｏＴ装置２０１の初期ＩＰアドレスとは異なるＩＰアドレスを設定する。
【０１５９】
図２１に移って、ＣＰＵ１０５ａは、ＩｏＴ装置２０１に対して、アド・ホック接続要求情報を送信する（Ｓ２０２９）。
【０１６０】
ＩｏＴ装置２０１のＣＰＵ１０１ａは、アド・ホック接続要求情報を取得すると（Ｓ２０３１）、使用者端末２０５に対してアド・ホック接続応答情報を送信する（Ｓ２０３３）。これにより、ＩｏＴ装置２０１と使用者端末２０５とが、通信可能となる。
【０１６１】
ＩｏＴ管理端末２０５のＣＰＵ１０５ａは、アド・ホック接続応答情報を取得すると（Ｓ２０４１）、メモリ２０５ｂからルータ接続設定情報、及び、状態登録先接続情報を取得する（Ｓ２０４３）。ＣＰＵ１０５ａは、取得したルータ通信設定情報、及び、状態登録先接続情報を、状態登録設定情報として、ＩｏＴ装置２０１へ送信する（Ｓ２０４５）。ＣＰＵ１０５ａは、ルータ接続設定情報を用いて、通信回路２０５ｈの通信設定情報を元に戻す（２０４７）。これにより、使用者端末２０５は、ルータＲＴを介した外部ネットワーク、および  内部ネットワークと通信が可能となる。
【０１６２】
ＩｏＴ装置２０１のＣＰＵ１０１ａは、状態登録設定情報を取得すると（Ｓ２０５１）、ルータ通信設定情報、及び、状態登録先接続情報を取得し、メモリ２０１ｂに記憶保持する（Ｓ２０５３）。ＣＰＵ１０１ａは、ルータ接続設定情報を用いて、通信回路２０５ｈの通信設定情報を変更する（２０５５）。これにより、ＩｏＴ装置２０１は、ルータＲＴを介した外部ネットワーク、および  内部ネットワークと通信が可能となる。
【０１６３】
以降、ＣＰＵ１０１ａは、状態情報登録処理（図１１参照）を実行する。
【０１６４】
このように、情報管理システム２００では、煩雑だったＩｏＴ装置２０１をルータＲＴに接続するための無線ＬＡＮ設定の作業を大幅に簡略化することが可能となる。従来、装置記載のＳＳＩＤ等の番号を手入力で入れる作業が不要となり、結果、ＩｏＴ装置２０１では、電源を投入するだけで、ＩｏＴ管理端末２０５を介して、自動的にルータＲＴとの無線接続設定が完了する。また、ＩｏＴ装置２０１は、ルータＲＴを介して、動作状態情報を、実施例１の状態情報登録処理（図１１参照）に従って、情報蓄積装置１０３に格納出来る。
【０１６５】
２．動作状態確認処理
動作状態確認処理については、情報管理装置１００における動作状態確認処理（図１２〜図１４参照）と同様である。但し、動作状態確認端末２０６を使用する動作状態確認作業者は、事前に、ルータＲＴと接続できるように、動作状態確認端末２０６の通信回路２０６ｈに、ルータＲＴと同様の通信設定をしておく。
【実施例３】
【０１６６】
前述の実施例１における情報管理システム１００では、ＩｏＴ装置１０１は、所定の位置に、若しくは、範囲に位置する設置対象物に設置されていた。一方、本実施例に係る情報管理システム３００では、ＩｏＴ装置１０１は、設置対象物として移動体に固定されるものである。以下においては、前述の実施例と同様の構成については同様の符号を付し、詳細な説明を省略する。
【０１６７】
第１  ハードウェア構成
１．情報管理システム３００
情報管理システム３００の概要を図２２に示す。情報管理システム３００は、ＩｏＴ装置１０１、自動車３０１、情報蓄積装置１０３、ＩｏＴ管理端末３０５、動作状態確認端末３０６、ＩｏＴ情報管理装置３０７、及び、確認用動作状態提供装置１０９を有している。ＩｏＴ装置１０１、情報蓄積装置１０３、ＩｏＴ管理端末３０５、動作状態確認端末３０６、ＩｏＴ情報管理装置３０７、及び、確認用動作状態提供装置１０９は、所定のネットワークで接続されており、所定のネットワークを介して、互いに、情報を送受信できる。
【０１６８】
ＩｏＴ装置１０１は、設置対象物として、移動体である自動車３０１に設置される。自動車３０１は、ナンバープレートを有している。ナンバープレートは、設置対象物である自動車３０１を一意に特定することができる設置対象物特定情報であるナンバープレート情報を有している。ＩｏＴ装置１０１は、自動車３０１に設置される装置等の作動温度や振動等、各装置の状態情報を、所定時間毎に、情報蓄積装置１０３へ送信する。ＩｏＴ装置１０１は、表面に、自身の状態情報を取得する先のアドレスである取得先情報が含まれる２次元バーコード１０１ｍを有している。
【０１６９】
情報蓄積装置１０３は、ＩｏＴ装置１０１から取得した状態情報を記憶、保持する。
【０１７０】
ＩｏＴ管理端末３０５は、ＩｏＴ装置１０１が有する２次元バーコード１０１ｍを読み取り、２次元バーコード１０１ｍを読み取ったＩｏＴ装置１０１に関する各種の情報を管理するＩｏＴ情報管理装置３０７に接続するための管理先接続情報を取得する。ＩｏＴ管理端末３０５は、取得した管理先接続情報を用いてＩｏＴ情報管理装置３０７に接続し、２次元バーコード１０１ｍを読み取ったＩｏＴ装置１０１のＩｏＴ情報管理装置１０７への登録等、ＩｏＴ装置１０１に関する情報を管理する。
【０１７１】
動作情報確認端末３０６は、自動車３０１のナンバープレート、及び、自動車に設置されているＩｏＴ装置１０１の２次元バーコードを読み取り、ＩｏＴ装置１０１が設置されている自動車３０１を特定しながら、ＩｏＴ装置１０１の動作確認をするための動作状態確認先接続情報を用いて確認用動作状態提供装置１０９に接続する。
【０１７２】
ＩｏＴ情報管理装置３０７は、ＩｏＴ装置１０１に関する各種の情報を管理する。特に、ＩｏＴ情報管理装置１０７は、ＩｏＴ装置１０１と、情報蓄積装置１０３からＩｏＴ装置１０１が送信した状態情報を取得するための状態取得先接続情報と、ＩｏＴ装置１０１が設置されている自動車のナンバープレート情報とを関連づけて管理する。
【０１７３】
確認用動作状態提供装置１０９は、動作状態確認端末３０６からの要求に従い、ＩｏＴ装置１０１の動作状態を示す動作状態情報を送信する。
【０１７４】
これにより、動作状態確認端末３０６で２次元バーコード１０１ｍを取得するだけで、容易に、ＩｏＴ装置１０１の動作状態を確認できる。
【０１７５】
一般的に、自動車においては、限られた空間に各構成部品が配置されるため、全てのＩｏＴ装置１０１が外部から確認できる位置に設置されるとは限らない。一方、情報管理システム３００では、外部から確認できる１つのＩｏＴ装置１０１の２次元バーコードを読み取るだけで、自動車に設置されているＩｏＴ装置１０１の動作情報を、容易に、確認することができる。
【０１７６】
２．ＩｏＴ管理端末３０５
ＩｏＴ管理端末３０５のハードウェア構成について図２３を用いて説明する。ＩｏＴ管理端末３０５は、ＣＰＵ１０５ａ、メモリ３０５ｂ、ディスプレイ１０５ｆ、通信回路１０５ｈ、及び、カメラユニット１０５ｉを有している。
【０１７７】
メモリ３０５ｂは、ＣＰＵ１０５ａに対して作業領域を提供する。また、メモリ３０３ｂは、オペレーティング・システム（ＯＳ）、ＩｏＴ管理端末プログラム等その他のアプリケーションのプログラム、及び、各種データを記録保持する。
【０１７８】
その他の構成については、ＩｏＴ管理端末１０５と同様である。
【０１７９】
３．動作状態確認端末３０６
動作状態確認端末３０６のハードウェア構成について図２３ａを用いて説明する。動作状態確認端末３０６は、ＣＰＵ１０６ａ、メモリ３０６ｂ、ディスプレイ１０６ｆ、通信回路１０６ｈ、及び、カメラユニット１０６ｉを有している。
【０１８０】
メモリ３０６ｂは、ＣＰＵ１０６ａに対して作業領域を提供する。また、メモリ３０６ｂは、オペレーティング・システム（ＯＳ）、動作状態確認プログラム等その他のアプリケーションのプログラム、及び、各種データを記録保持する。
【０１８１】
なお、動作状態確認端末３０６としては、動作状態確認端末１０６と同様に、一般的なスマートフォンを利用することができる。また、その他の構成については、動作状態確認端末１０６と同様である。
【０１８２】
４．ＩｏＴ情報管理装置３０７
ＩｏＴ管理装置３０７のハードウェア構成について図２４を用いて説明する。ＩｏＴ情報管理装置３０７は、ＣＰＵ１０７ａ、メモリ１０７ｂ、ハードディスクドライブ３０７ｃ（以下、ＨＤＤ３０７ｃとする）、キーボード１０７ｄ、マウス１０７ｅ、ディスプレイ１０７ｆ、光学式ドライブ１０７ｇ、及び、通信回路１０７ｈを有する。
【０１８３】
ＨＤＤ３０７ｃは、オペレーティング・システム（ＯＳ）、ＩｏＴ情報管理プログラム等その他のアプリケーションのプログラム、動作状態確認先接続情報、状態登録先情報、設置対象物特定情報（後述）、その他のデータを記録保持する。
【０１８４】
その他の構成については、ＩｏＴ情報管理装置１０７と同様である。
【０１８５】
なお、ＩｏＴ装置１０１、情報蓄積装置１０３、及び、確認用動作状態提供装置１０９のハードウェア構成については、実施例１と同様である。
【０１８６】
第３  使用する情報
（１）ＩｏＴ情報
ＩｏＴ情報管理装置３０７が有するＩｏＴ情報について説明する。ＩｏＴ情報は、各ＩｏＴ装置１０１と、動作状態情報の確認に必要な接続情報等、各種の接続情報とを関連づけた情報である。
【０１８７】
ＩｏＴ情報のデータ構造を図２５に示す。ＩｏＴ情報は、特定情報記述領域、状態登録先接続情報記述領域、動作状態確認先接続情報記述領域、及び、設置対象物特定情報記述領域を有している。特定情報記述領域には、各ＩｏＴ装置１０１を一意に特定する特定情報が記述される。状態登録先接続情報記述領域には、状態情報を登録する先をネットワーク上で一意に特定する状態登録先接続情報が記述される。例えば、情報蓄積装置１０３のネットワーク上のアドレスが記述される。動作状態確認先接続情報記述領域には、ＩｏＴ装置１０１の動作状態を確認する先をネットワーク上で一意に特定する動作状態確認先接続情報が記述される。例えば、確認用動作状態提供装置１０９のネットワーク上のアドレスが記述される。
【０１８８】
設置対象物特定情報記述領域には、ＩｏＴ装置１０１が設置された設置対象物である移動体としての自動車の一意に特定するナンバープレート番号が設置対象物特定情報として記述される。なお、設置対象物特定情報は、ＩｏＴ装置１０１に関して、管理先接続情報等の接続情報以外の他の情報である付加情報に相当する。
【０１８９】
第４  情報管理システム３００の動作
情報管理システム３００の動作について、以下で説明する。情報管理システム３００では、装置登録処理、状態情報取得処理（図１０参照）、状態情報登録処理（図１１参照）、及び、動作状態確認処理が実行される。
【０１９０】
なお、情報管理システム３００を利用する者は、事前に、情報管理装置１０３に、設置するＩｏＴ装置１０１を登録しておき、取得した状態情報を蓄積する領域をＨＤＤ１０３ｃに確保しておく。
【０１９１】
１．装置登録処理
装置登録処理について、図２６を用いて説明する。ＩｏＴ管理端末３０５のＣＰＵ１０５ａは、ＩｏＴ管理端末プログラムが起動されたと判断すると（Ｓ２６０１）、カメラユニット１０５ｉを起動し（Ｓ２６０３）、２次元バーコードの取得待機状態とする。ＣＰＵ１０５ａは、カメラユニット１０５ｉを介して２次元バーコードを取得したと判断すると（Ｓ２６０５）、取得した２次元バーコードを解析し、ＩｏＴ装置管理装置３０７へ接続するための管理先接続情報を取得する（Ｓ２６０７）。
【０１９２】
続いて、ＣＰＵ１０５ａは、カメラユニット１０５ｉを、ナンバープレート画像の取得待機状態とする。ＣＰＵ１０５ａは、カメラユニット１０５ｉを介してナンバープレート画像を取得したと判断すると（Ｓ２６０７）、取得したナンバープレート画像を解析し、ＩｏＴ装置１０１が設置されている自動車を一意に特定するナンバープレート番号、例えば、「神戸○○○さ△△−××」を、ＯＣＲ（Ｏｐｔｉｃａｌ  Ｃｈａｒａｃｔｅｒ  Ｒｅｃｏｇｎｉｔｉｏｎ）技術等を用いて、設置対象物特定情報として取得する（Ｓ２６１１）。
【０１９３】
ＣＰＵ１０５ａは、取得した設置対象物特定情報、及び、管理先接続情報を用いて、設置対象物特定情報に対応する自動車３０１とＩｏＴ装置１０１とを関連付けることを要求する装置登録要求情報を送信する（Ｓ２６１３）。
【０１９４】
ＩｏＴ情報管理装置３０７のＣＰＵ１０７ａは、ＩｏＴ管理端末１０５から装置登録要求情報を取得すると（Ｓ２６２１）、ＩｏＴ情報の登録先設置対象物特定情報を取得する（Ｓ２６２３）。ＣＰＵ１０３ａは、管理先接続情報が有する特定情報に対応するＩｏＴ装置１０１に対して、具体的には、管理先接続情報のクエリパラメータに対応するＩｏＴ装置１０１に対して、取得した設置対象物特定情報を関連付けて、ＨＤＤ１０７ｃのＩｏＴ情報（図２５参照）に記憶する（Ｓ２６２５）。
【０１９５】
これにより、ＩｏＴ装置１０１と、ＩｏＴ装置１０１が設置されている自動車３０１とを関連付けて、ＩｏＴ情報管理装置３０７に、容易に、登録できる。
【０１９６】
２．動作状態確認処理
動作状態確認処理について、図２７を用いて説明する。動作状態確認端末３０６のＣＰＵ１０６ａは、動作状態確認プログラムが起動されたと判断すると（Ｓ２７０１）、カメラユニット１０６ｉを起動し（Ｓ２７０３）、２次元バーコードの取得待機状態とする。ＣＰＵ１０６ａは、カメラユニット１０６ｉを介して２次元バーコードを取得したと判断すると（Ｓ２７０５）、取得した２次元バーコードを解析し、ＩｏＴ装置管理装置３０７へ接続するための管理先接続情報を取得する（Ｓ２７０７）。
【０１９７】
続いて、ＣＰＵ１０６ａは、カメラユニット１０６ｉを、ナンバープレート画像の取得待機状態とする。ＣＰＵ１０６ａは、カメラユニット１０６ｉを介してナンバープレート画像を取得したと判断すると（Ｓ２７０７）、取得したナンバープレート画像を解析し、ＩｏＴ装置１０１が設置されている自動車を一意に特定するナンバープレート番号を設置対象物特定情報として取得する（Ｓ２７１１）。
【０１９８】
ＣＰＵ１０６ａは、取得した設置対象物特定情報、及び、管理先接続情報を用いて、設置対象物特定情報に対応する自動車３０１に設置されているＩｏＴ装置１０１の動作を確認するために、確認用動作状態提供装置１０９への接続に用いる動作状態確認先接続情報の送信を要求する状態確認先要求情報を送信する（Ｓ２７１３）。
【０１９９】
ＩｏＴ情報管理装置３０７のＣＰＵ１０７ａは、ＩｏＴ管理端末１０５から状態確認先要求情報を取得すると（Ｓ２７２１）、管理先接続情報から特定情報を取得する（Ｓ２７７３）。具体的には、管理先接続情報から、特定情報を示すクエリパラメータの値を取得する。また、ＣＰＵ１０７ａは、状態確認先要求情報からＩｏＴ装置１０１が設置されている自動車３０１を特定する設置対象物特定情報を取得する（Ｓ２７２３）。ＣＰＵ１０７ａは、ＨＤＤ１０７ｃが記憶保持するＩｏＴ情報の中に、取得した特定情報、及び、設置対象物特定情報に関連付けられたものが存在するか否かを判断する（Ｓ２７２６）。
【０２００】
ＣＰＵ１０７ａは、ＩｏＴ情報の中に、取得した特定情報、及び、設置対象物特定情報に関連付けられたものが存在すると判断すると、対応する動作状態確認先接続情報を取得する（Ｓ２７２７）。ＣＰＵ１０７ａは、動作状態確認先接続情報を含む状態確認先応答情報を動作状態確認端末３０６へ送信する（Ｓ２７２９）。
【０２０１】
一方、ＣＰＵ１０７ａは、ステップＳ２７２６において、ＩｏＴ情報の中に、取得した特定情報、及び、設置対象物特定情報に関連付けられたものが存在しないと判断すると、動作状態確認先接続情報を含まず、対応する動作状態確認先接続情報が存在しない旨を示す状態確認先応答情報を動作状態確認端末３０６へ送信する（Ｓ２７２９）。
【０２０２】
動作状態確認端末３０６のＣＰＵ１０５ａは、ＩｏＴ情報管理装置３０７から状態確認先応答情報を取得すると（Ｓ２７３１）、取得した状態確認先応答情報から、動作状態確認先接続情報を取得できるか否かを判断する（Ｓ２７３３）。ＣＰＵ１０５ａは、動作状態確認先接続情報を取得できると判断すると、動作状態確認先接続情報を取得し、メモリ３０５ｂに記憶保持し（Ｓ２７３５）、以降の動作状態確認処理（図１４参照）を実行する。
【０２０３】
一方、ＣＰＵ１０５ａは、動作状態確認先接続情報を取得できないと判断すると、動作状態確認処理を終了する。
【実施例４】
【０２０４】
前述の実施例１における情報管理システム１００では、ＩｏＴ装置１０１は、直接、状態蓄積装置１０３に状態情報を送信していた。一方、本実施例に係る情報管理システム４００では、ＩｏＴ装置４０１は、ＩｏＴ情報管理装置４０７を介して、状態蓄積装置１０３に状態情報を送信するものである。以下においては、前述の実施例と同様の構成については同様の符号を付し、詳細な説明を省略する。
【０２０５】
第１  ハードウェア構成
１．情報管理システム４００
情報管理システム４００の全体構成を図２８に示す。情報管理装置４００は、ＩｏＴ装置４０１、情報蓄積装置１０３、ＩｏＴ管理端末４０５、動作状態確認端末１０６、及び、ＩｏＴ情報管理装置４０７を有している。ＩｏＴ情報管理装置４０７は、ＩｏＴ装置４０１、ＩｏＴ管理端末４０５、及び、状態確認端末１０６と、情報蓄積装置１０３との中間に位置し、各装置間の通信を中継管理する機能を有する。これにより、新たに設置するＩｏＴ装置４０１を、既存の情報蓄積装置１０３を利用したシステムに、スムースに組み込ませることができる。
【０２０６】
２．ＩｏＴ装置４０１
ＩｏＴ装置４０１のハードウェア構成について図２９を用いて説明する。ＩｏＴ装置４０１は、ＣＰＵ１０１ａ、メモリ４０１ｂ、通信回路１０１ｈ、状態情報取得センサ１０１ｊ、動作状態確認ボタン１０１ｋ、及び、筐体４０１ｎを有している。
【０２０７】
メモリ４０１ｂは、ＣＰＵ１０１ａに対して作業領域を提供する。また、メモリ４０１ｂは、オペレーティング・システム（ＯＳ）、状態情報取得登録プログラム、初期通信設定プログラム等その他のアプリケーションのプログラム、及び、各種データを記録保持する。メモリ４０１ｂは、自身を一意に特定する特定情報、及び、通信回路１０１ｈが状態情報を送信する先のネットワーク上のアドレスを示す状態送信先接続情報を有している。なお、状態送信先接続情報は、ＩｏＴ情報管理端末４０７のネットワーク上の位置を特定するアドレスに対応する。
【０２０８】
筐体４０１ｎは、ＣＰＵ１０１ａ等の電子部品を収納、保護する。筐体４０１ｎの外観を図２９ａに示す。筐体４０１ｎは、表面に、動作状態確認端末１０６を介してＩｏＴ情報管理装置４０７の確認用動作状態情報を取得するため動作状態確認先接続情報、及び、ＩｏＴ管理端末４０５を介してＩｏＴ情報管理装置４０７に接続するための管理先接続情報を有する管理先接続情報・特定情報提供部としての２次元バーコード４０１ｍを有している。２次元バーコード４０１ｍについては、後述する。
【０２０９】
その他の構成については、ＩｏＴ装置１０１と同様である。
【０２１０】
３．ＩｏＴ管理端末４０５
ＩｏＴ管理端末４０５のハードウェア構成について図３０を用いて説明する。ＩｏＴ管理端末４０５は、ＣＰＵ１０５ａ、メモリ４０５ｂ、ディスプレイ１０５ｆ、通信回路１０５ｈ、及び、カメラユニット１０５ｉを有している。
【０２１１】
メモリ４０５ｂは、ＣＰＵ１０５ａに対して作業領域を提供する。また、メモリ４０５ｂは、オペレーティング・システム（ＯＳ）、ＩｏＴ管理端末プログラム等その他のアプリケーションのプログラム、管理先接続情報、及び、各種データを記録保持する。
【０２１２】
その他の構成については、ＩｏＴ管理端末１０５と同様である。
【０２１３】
４．ＩｏＴ情報管理装置４０７
ＩｏＴ管理装置４０７のハードウェア構成について図３１を用いて説明する。ＩｏＴ情報管理装置４０７は、ＣＰＵ１０７ａ、メモリ１０７ｂ、ハードディスクドライブ４０７ｃ（以下、ＨＤＤ４０７ｃとする）、キーボード１０７ｄ、マウス１０７ｅ、ディスプレイ１０７ｆ、光学式ドライブ１０７ｇ、及び、通信回路１０７ｈを有する。
【０２１４】
ＨＤＤ４０７ｃは、オペレーティング・システム（ＯＳ）、ＩｏＴ情報管理プログラム等その他のアプリケーションのプログラム、状態登録先接続情報、及び、確認用動作状態情報（後述）、その他のデータを記録保持する。
【０２１５】
その他の構成については、ＩｏＴ情報管理装置１０７と同様である。
【０２１６】
第２  ２次元バーコード
ＩｏＴ装置４０１の筐体４０１ｎが表面に有する２次元バーコード４０１ｍについて説明する。２次元バーコード４０１ｍは、ネットワークを介して、ＩｏＴ装置４０１の動作確認をするための確認用動作状態情報の取得先であるＩｏＴ情報管理装置４０７に接続するためのアドレスを示す動作状態取得先接続情報を有している。動作状態取得先接続情報は、２次元バーコードが表示されるＩｏＴ装置４０１を一意に特定する特定情報を有している。また、動作状態取得先接続情報は、管理先接続情報の一部を有している。
【０２１７】
例えば、ＩｏＴ装置４０１の特定情報が「０１０４―５１２４―２８９０」であり、ＩｏＴ情報管理装置４０７が、ＴＣＰ／ＩＰプロトコルを利用するネットワーク上においてアドレス「ｈｔｔｐ：／／ｗｗｗ．ｙｙｙｙｙ．ｃｏｍ」を用いて一意に特定でき、ＩｏＴ装置４０１に関連付けられた認証コードが「１２３４」である場合、２次元バーコード４０１ｍは、「ｈｔｔｐ：／／ＷＷＷ．ｙｙｙｙｙ．ｃｏ．ｊｐ／？ｓｅｎｓｏｒｉｄ＝０１０４―５１２４―２８９０／ｐａｓｓ＝１２３４」を有している。「？ｓｅｎｓｏｒｉｄ＝０１０４―５１２４―２８９０」がクエリパラメータとして設定されている。ここで、「ｈｔｔｐ：／／ＷＷＷ．ｙｙｙｙｙ．ｃｏ．ｊｐ／？ｓｅｎｓｏｒｉｄ＝０１０４―５１２４―２８９０」は動作状態確認先接続情報として機能し、「？ｓｅｎｓｏｒｉｄ＝０１０４―５１２４―２８９０／ｐａｓｓ＝１２３４」は管理先接続情報として機能する。
【０２１８】
例えば、ＩｏＴ管理端末４０５は、２次元バーコード４０１ｍに示されている「？ｓｅｎｓｏｒｉｄ＝０１０４―５１２４―２８９０／ｐａｓｓ＝１２３４」に、自らが有する管理先接続情報の一部「ｈｔｔｐ：／／ＷＷＷ．ｙｙｙｙｙ．ｃｏ．ｊｐ／ｍａｎａｇｅｍａｍｅｎｔ．ｐｈｐ」を付加した「ｈｔｔｐ：／／ＷＷＷ．ｙｙｙｙｙ．ｃｏ．ｊｐ／ｍａｎａｇｅｍａｍｅｎｔ．ｐｈｐ？ｓｅｎｓｏｒｉｄ＝０１０４―５１２４―２８９０／ｐａｓｓ＝１２３４」を管理先接続情報として使用し、ＩｏＴ情報管理装置４０７にアクセスする。また、動作状態確認端末１０６は、「ｈｔｔｐ：／／ＷＷＷ．ｙｙｙｙｙ．ｃｏ．ｊｐ／？ｓｅｎｓｏｒｉｄ＝０１０４―５１２４―２８９０／ｐａｓｓ＝１２３４」を動作状態確認先接続情報として使用し、ＩｏＴ情報管理装置４０７にアクセスする。なお、ＩｏＴ情報管理装置４０７は、動作状態確認端末１０６からのアクセスに対しては、認証コード「ｐａｓｓ＝１２３４」を削除した上で、確認用動作状態取得処理を実行する。
【０２１９】
第３  使用する情報
（１）ＩｏＴ情報
ＩｏＴ情報管理装置１０７が有するＩｏＴ情報について説明する。ＩｏＴ情報は、各ＩｏＴ装置１０１と、動作状態情報の確認に必要な接続情報等、各種の接続情報とを関連づけた情報である。
【０２２０】
ＩｏＴ情報のデータ構造を図３２に示す。ＩｏＴ情報は、特定情報記述領域、状態登録先接続情報記述領域、動作開始時刻記述領域、及び、確認用動作状態情報記述領域を有している。特定情報記述領域には、各ＩｏＴ装置４０１を一意に特定する特定情報が記述される。
【０２２１】
状態登録先接続情報記述領域には、状態情報をＩｏＴ情報管理装置４０７が転送する先をネットワーク上で一意に特定する状態登録先接続情報が記述される。例えば、情報蓄積装置１０３のネットワーク上のアドレスが記述される。なお、状態登録先接続情報については、ＩｏＴ装置４０１の運用者が使用する状態蓄積装置１０３を自由に選定し、使用する状態蓄積装置１０３のアドレスを設定することができる。また、ＩｏＴ情報管理装置４０７の運用者が、予め、準備した状態蓄積装置１０３のアドレスを設定するようにしてもよい。
【０２２２】
動作開始時刻記述領域には、各ＩｏＴ装置４０１が動作を開始した時刻が記述される。ＩｏＴ情報によって動作開始時刻を管理することによって、ＩｏＴ装置４０１の動作に応じた保守点検や、ＩｏＴ装置４０１の運用サービス提供において生ずる処理、例えば、課金処理等を適切に実行することができる。
【０２２３】
確認用動作状態情報記述領域には、各ＩｏＴ装置４０１の最新の状態情報、つまり、各ＩｏＴ装置４０１からＩｏＴ情報管理装置４０７が取得した最新の状態情報が記述される。確認用動作状態情報を取得することによって、各ＩｏＴ装置４０１の動作状態を確認することができる。
【０２２４】
第４  情報管理システム４００の動作
情報管理システム４００の動作について、以下において説明する。情報管理システム４００では、ＩｏＴ装置４０１の動作開始時をＩｏＴ情報管理装置４０７に登録する装置動作開始登録処理、ＩｏＴ装置４０１が状態情報を取得する状態情報取得処理（図１０参照）、ＩｏＴ装置４０１から情報管理装置１０３に状態情報を登録する状態情報登録処理、及び、動作状態確認端末１０６がＩｏＴ情報管理装置４０７から確認用動作状態情報を取得し、表示する動作状態確認処理が実行される。なお、情報管理システム４００を利用する者は、事前に、ＩｏＴ装置４０１を所定の場所、例えば、装置や機械に設置しておく。また、設置するＩｏＴ装置４０１をＩｏＴ情報管理装置４０７のＩｏＴ情報に登録しておき、取得した状態情報の一部を確認用動作状態情報としてＨＤＤ４０３ｃに蓄積できるようにしておく。
【０２２５】
１．装置動作開始登録処理
装置登録処理について、図３３を用いて説明する。ＩｏＴ管理端末４０５のＣＰＵ１０５ａは、ＩｏＴ管理端末プログラムが起動されたと判断すると（Ｓ５０１）、カメラユニット１０５ｉを起動し（Ｓ５０３）、２次元バーコードの取得待機状態とする。ＣＰＵ１０５ａは、カメラユニット１０５ｉを介して２次元バーコードを取得したと判断すると（Ｓ５０５）、取得した２次元バーコードを解析し、特定情報、及び、認証コードを取得する（Ｓ３３０１）。
【０２２６】
ＣＰＵ１０５ａは、メモリ４０５ｂから、管理先接続情報を取得し（Ｓ３３０３）、特定情報、認証コード、及び、管理先接続情報を用いて、特定情報を有する管理先接続情報を生成する（Ｓ３３０５）。また、ＣＰＵ１０５ａは、時計回路より現在の時刻を動作開始時刻として取得する（Ｓ３３０７）。
【０２２７】
ＣＰＵ１０５ａは、生成した管理先接続情報を用いて、特定情報で特定されるＩｏＴ装置１０１の動作開始時刻を、特定情報で特定されるＩｏＴ装置４０１に関する各種情報が互いに関連付けられたＩｏＴ情報に記憶保持することを要求する装置動作開始登録要求情報を送信する（Ｓ３３０９）。
【０２２８】
ＩｏＴ情報管理装置４０７のＣＰＵ１０７ａは、ＩｏＴ管理端末４０５から装置動作開始登録要求情報を取得すると（Ｓ３３１１）、取得した装置登録要求情報からＩｏＴ装置１０１の特定情報、及び、動作開始時刻を取得する（Ｓ３３１３）。ＣＰＵ１０７ａは、ＨＤＤ４０７ｃに記憶保持しているＩｏＴ情報（図３２参照）に、特定情報で特定されるＩｏＴ情報が既に登録されているかを判断する（Ｓ５１５）。
【０２２９】
ＣＰＵ１０７ａは、特定情報で特定されるＩｏＴ情報が、まだ、ＩｏＴ情報に登録されていないと判断すると、ＩｏＴ情報の特定情報記述領域にステップＳ３３１３で取得した特定情報を記述したレコードを生成し、特定情報で特定されるＩｏＴ装置４０１に関するＩｏＴ情報をＩｏＴ情報管理装置４０７に登録する（Ｓ５１７）。なお、ＩｏＴ情報において、特定情報に記述領域以外の領域の値については、ＩｏＴ情報管理装置４０７の管理者等が、適宜、入力する。
【０２３０】
ＣＰＵ１０７ａは、ＨＤＤ１０７ｃに記憶保持しているＩｏＴ情報（図８参照）に、特定情報で特定されるＩｏＴ情報の動作開始時刻記述領域（図３２参照）に、取得した動作開始時刻を記述する（Ｓ３３１５）。ＣＰＵ１０７ａは、動作開始時刻の登録が終了すると、登録が完了した旨の装置動作開始登録応答情報をＩｏＴ管理端末１０５へ送信する（Ｓ３３１７）。
【０２３１】
ＩｏＴ管理端末４０５のＣＰＵ１０５ａは、ＩｏＴ情報管理装置４０７から装置動作開始登録応答情報を取得すると（Ｓ３３２１）、取得した装置動作開始登録情報をディスプレイ１０５ｆに表示する（Ｓ３３２３）。
【０２３２】
２．状態情報登録処理
状態情報登録処理について、図３４を用いて説明する。ＩｏＴ装置４０１のＣＰＵ１０１ａは、所定時間毎に（Ｓ７０１）、メモリ１０１ｂから状態情報を送信する先のアドレスを示す状態送信先接続情報、及び、ＩｏＴ装置４０１の特定情報を取得し（Ｓ７０３）、また、メモリ１０１ｂに記憶保持されている状態情報を取得する（Ｓ７０５）。ＣＰＵ１０１ａは、取得した状態情報、及び、特定情報を状態登録情報として、状態送信先接続情報を用いてＩｏＴ情報管理装置４０７へ送信する（Ｓ３４０７）。なお、ＩｏＴ装置４０１では、１日毎、６時間毎、１０分毎等、電源容量と、ＩｏＴ装置４０１の動作可能時間とを考慮して、情報蓄積装置１０３への登録間隔を決定しておく。ＣＰＵ１０１ａは、動作が終了するまで（Ｓ７０９）、ステップＳ７０１?ステップＳ３４０１?ステップＳ７０９の処理を繰り返す。
【０２３３】
ＩｏＴ情報管理装置４０７のＣＰＵ１０７ａは、ＩｏＴ装置４０１から状態登録情報を取得すると（Ｓ３４２１）、取得した状態登録情報からＩｏＴ装置４０１を特定する特定情報、及び、状態情報を抽出する（Ｓ３４２３）。ＣＰＵ１０７ａは、取得した特定情報で特定されるＩｏＴ装置４０１に関連づけて、取得した状態情報を、既に記憶している対応する確認用動作状態情報に上書きするように、新たな確認用動作状態情報として、予め確保しておいたＨＤＤ１０３ｃの所定の領域に記憶保持する（Ｓ３４２５）。また、ＣＰＵ１０７ａは、ステップＳ３４２１で取得した状態登録情報を情報蓄積装置１０３へ転送する（Ｓ３４２７）。ＣＰＵ１０７ａは、動作が終了するまで（Ｓ３４２９）、ステップＳ３４２１〜ステップＳ３４２７の処理を繰り返す。
【０２３４】
情報蓄積装置１０３のＣＰＵ１０３ａは、ＩｏＴ情報管理装置４０７から状態登録情報を取得すると（Ｓ３４１１）、取得した状態登録情報からＩｏＴ装置１０１を特定する特定情報を抽出する（Ｓ７１３）。ＣＰＵ１０３ａは、取得した特定情報で特定されるＩｏＴ装置１０１に関連づけて、取得した状態情報を、ＩｏＴ装置１０１について予め確保しておいたＨＤＤ１０３ｃの所定の領域に記憶保持する（Ｓ７１５）。ＣＰＵ１０３ａは、動作が終了するまで（Ｓ７１７）、ステップＳ７１１?ステップＳ７１５の処理を繰り返す。本システムを利用するユーザー側のシステムは、情報蓄積装置１０３から状態登録情報（データ）を受け取り、データストレージあるいは分析処理装置に情報を蓄積する。
【０２３５】
４．動作状態確認処理
動作状態確認処理について説明する。動作状態確認処理は、動作状態確認端末１０６がＩｏＴ情報管理装置４０７に接続するための動作状態確認先接続情報を取得するための動作状態確認先取得処理、及び、取得した動作状態確認先接続情報を用いて確認用動作状態情報を取得する確認用動作状態取得処理を有している。
【０２３６】
（１）動作状態確認先取得処理
動作状態確認先取得処理について、図３５を用いて説明する。動作状態確認端末１０６のＣＰＵ１０６ａは、動作状態確認プログラムが起動されたと判断すると（Ｓ８０１）、カメラユニット１０６ｉを起動し（Ｓ８０３）、２次元バーコードの取得待機状態とする。ＣＰＵ１０６ａは、カメラユニット１０６ｉを介して２次元バーコード４０１ｍを取得したと判断すると（Ｓ８０５）、取得した２次元バーコードを解析し、動作状態確認先接続情報を取得する（Ｓ３５０１）。
【０２３７】
（２）確認用動作状態取得処理
確認用動作状態取得処理について、図３６、図３７を用いて説明する。動作状態確認端末１０６を用いてＩｏＴ装置４０１の動作状態を確認しようとする使用者は、確認用動作状態提供装置１０９に接続する前に、ＩｏＴ装置４０１に、メモリ４０１ｂに記憶保持している状態情報をＩｏＴ情報管理装置４０７に送信させるために、動作状態確認ボタン１０１ｋを操作してもよい（図１３参照）。これは、ＩｏＴ装置４０１は、限られた電力の効率的利用のため、常時、状態情報を情報蓄積装置１０３に送信していないものもあるため、動作確認時点でＩｏＴ装置４０１が適切に動作しているか否かを確認するために、直近に取得した状態情報を確認できるようにするためである。
【０２３８】
なお、ＩｏＴ装置４０１の動作確認ボタン１０１ｋが操作された場合、ＩｏＴ装置４０１、ＩｏＴ情報管理装置４０７、及び、情報蓄積装置１０３は、状態情報登録処理（図３４参照）のステップＳ７０３以降の処理を実行する。
【０２３９】
図３６に示すように、動作状態確認端末１０６のＣＰＵ１０６ａは、２次元バーコード４０１ｍから取得した状態確認先接続情報、及び、ＩｏＴ装置４０１の特定情報を用いて、ＩｏＴ情報管理装置４０７に、特定情報で特定されるＩｏＴ装置４０１に関する確認用動作状態情報の送信を要求する確認用動作状態要求情報を送信する（Ｓ３６０１）。
【０２４０】
ＩｏＴ情報管理装置４０７のＣＰＵ１０７ａは、ＩｏＴ管理端末１０５から確認用動作状態要求情報を取得すると（Ｓ３６１１）、取得した確認用動作状態要求情報からＩｏＴ装置１０１の特定情報を取得する（Ｓ３７６３）。ＣＰＵ１０７ａは、取得した特定情報で特定されるＩｏＴ装置１０１の確認用動作状態情報を取得し（Ｓ３６１５）、動作状態確認端末１０６のディスプレイ１０６ｆに表示できる確認用動作状態応答情報を生成する（Ｓ３７１７）。ＣＰＵ１０７ａは、生成した確認用動作状態応答情報を動作状態確認端末１０６へ送信する（Ｓ３６１９）。
【０２４１】
動作状態確認端末１０６のＣＰＵ１０６ａは、確認用動作状態提供装置１０９から確認用動作状態情報を取得すると（Ｓ１２１５）、取得した確認用動作状態情報をディスプレイ１０６ｆに表示する（Ｓ１２１７）。
【０２４２】
このように、情報管理システム１００では、ＩｏＴ装置１０１に表示する２次元バーコードと、ＩｏＴ情報管理装置１０９によるＩｏＴ装置１０１に関する各種情報の紐づけとにより、ＩｏＴ管理端末１０５を用いた管理者によるＩｏＴ情報管理と、動作状態情報確認端末１０６を用いた動作状態確認作業者による動作状態確認との両者を、同時に、実現出来る。なお、動作状態確認作業者は、一般的に、ＩｏＴ情報管理者に比して、ＩｏＴ情報へのアクセスが限定されていることが多い。情報管理システム１００では、アクセス権が異なる者が混在していても、それぞれのアクセス権に応じた作業を、同時に、実現できる。
【０２４３】
また、動作状態確認端末１０６は、不特定多数の動作状態確認作業者が使用するため、一般的に使用されているスマートフォン、及び、スマートフォンで動作する２次元バーコード取得アプリ、ブラウザアプリ等、一般的に使用されているアプリを、動作状態確認プログラムとして使用できる。このため、特別な動作状態確認端末１０６を用意する必要がない。また、動作状態確認作業者は、手慣れたスマートフォンを使用できるため、動作状態確認端末１０６の操作に戸惑うことなく、容易に、動作状態確認作業を実行することができる。
【０２４４】
［その他の実施形態］
（１）ＩｏＴ情報において特定情報に関連付ける所定の情報：前述の実施例１においては、ＩｏＴ情報において特定情報に関連付ける所定の情報として、状態登録先接続情報、動作状態確認先接続情報を示したが、その他の情報を関連付けるようにしてもよい。例えば、ＩｏＴ装置１０１に接続するための固有番号、携帯電話番号や固有ＩＰアドレスも合わせて関連付けるようにしてもよい。
【０２４５】
（２）２次元バーコード：前述の実施例１においては、２次元バーコードは、ＩｏＴ装置１０１の特定情報と関連付けられた管理先接続情報が表示されるとしたが、ＩｏＴ情報管理装置１０７、確認用動作状態提供装置１０９等、その他の装置に接続する情報も合わせて表示されるようにしてもよい。
【０２４６】
また、複数の装置に接続する情報を表示する２次元バーコードを配置する場合は、それぞれの情報を有する２つの２次元バーコードを筐体１０１ｎに配置するようにしてもよい。さらに、複数の装置に接続する情報を１つの２次元バーコードを配置し、いずれか接続情報を、処理の内容によって選択できるようにしてもよい。接続情報の選択については、プログラムにおいて処理の内容に応じて、自動的に選択されるようにしてもよいし、使用者が選択できるようにしてもよい。その他の実施例についても、同様である。
【０２４７】
さらに、２次元バーコードに表示される特定情報、管理先接続情報の末尾にハッシュ値等の認証情報を付加するようにしてもよい。さらに、２次元バーコードに表示される特定情報、管理先接続情報自体を暗号化し、読み取るＩｏＴ管理端末１０５、動作状態確認端末１０６において、暗号化を解読するようにしてもよい。
【０２４８】
さらに、特定情報、管理先接続情報を表示する２次元バーコードとともに、数値化した特定情報、例えば、特定情報そのものや、特定情報の一部（下４桁等）を合わせて表示するようにしもてよい。
【０２４９】
（３）動作状態確認プログラム：前述の実施例１においては、動作状態確認端末１０６は、動作状態確認プログラムとして、既存の２次元バーコード取得プログラム、ブラウザプログラム等を利用するとしたが、動作状態確認処理（図１２、図１４）を実行するように設計された専用の動作状態確認プログラムを用いるようにしてもよい。その他の実施例についても、同様である。
【０２５０】
（４）動作状態確認端末１０６：前述の実施例１においては、動作状態確認端末１０６は、スマートフォンを利用するとしたが、動作状態確認プログラムの機能を実現できるものであれば、例示のものに限定されない。例えば、専用の端末であってもよい。その他の実施例についても同様である。
【０２５１】
（５）ＩｏＴ装置１０１、情報管理装置１０３、ＩｏＴ管理端末１０５、動作状態確認端末１０６、ＩｏＴ情報管理装置１０７、確認用動作状態提供装置１０９のハードウェア構成：前述の実施例１においては、ＩｏＴ装置１０１は、ＣＰＵ１０１ａ等を用いて各処理を実行するとしたが、各処理を実行できるものであれば、例示のものに限定されない。例えば、ＩｏＴ装置１０１を専用のロジック回路を用いて形成するようにしてもよい。情報管理装置１０３、ＩｏＴ管理端末１０５、動作状態確認端末１０６、ＩｏＴ情報管理装置１０７、確認用動作状態提供装置１０９についても、同様である。その他の実施例についても同様である。
【０２５２】
（６）ＩｏＴ装置１０１の設置場所：前述の実施例１においては、ＩｏＴ装置１０１は、所定の機械等に設置されるとしたが、所定の状態情報を取得する場所であれば、例示のものに限定されない。例えば、特定の装置に設置されるものではなく、農地に配置される温度等の気象情報を取得するセンサであってもよい。実施例２についても同様である。
【０２５３】
（７）複数のＩｏＴ装置１０１の処理：前述の実施例１においては、１つのＩｏＴ装置１０１から２次元バーコードを読み取る毎に、情報管理装置１０３に状態情報を要求したが、複数のＩｏＴ装置１０１から２次元バーコードを読み取り、複数のＩｏＴ装置１０１のそれぞれの状態情報をまとめて要求するようにしてもよい。その他の実施例についても同様である。
【０２５４】
同様に、前述の実施例２においては、１つのＩｏＴ装置１０１から２次元バーコードを読み取る毎に、情報管理装置１０３にＩｏＴ装置１０１の登録を要求したが、複数のＩｏＴ装置１０１から２次元バーコードを読み取り、複数のＩｏＴ装置１０１をまとめて情報管理装置１０３に登録するようにしてもよい。その他の実施例についても同様である。
【０２５５】
（８）自動車３０１：前述の実施例３においては、ＩｏＴ装置１０１をＩｏＴ情報管理装置１０７に登録する際に、ＩｏＴ装置１０１に関する他の情報を付加情報としの自動車のナンバープレート情報とＩｏＴ装置１０１の状態情報とを関連付けて情報管理装置１０３に登録するとしたが、他の情報を付加情報として、関連付けて登録するようにしてもよい。例えば、自動車３０１を特定できる情報として、自動車に貼り付けられる専用ステッカーに表示される一意の番号情報や、模様等の画像情報であってもよい。
【０２５６】
また、自動車３０１に設置されるＩｏＴ装置１０１を自動車３０１に関連付けて登録するとしたが、複数のＩｏＴ装置１０１が設置され、設置対象物を特定できる情報を有するものであれば、例示のものに限定されない。例えば、複数のＩｏＴ装置１０１が設置される産業用ロボットであって、自身を特定する番号等のプレートが設置されているものであってもよい。
【０２５７】
さらに、付加情報として、例えば、ＩｏＴ装置１０１の存在位置を示す位置情報を関連付けて登録するようにしてもよい。これにより、ＩｏＴ装置１０１の存在位置が分からない場合に、動作状態確認端末１０６の位置をＩｏＴ情報管理装置１０７に送信し、ＩｏＴ情報管理装置１０７から動作状態確認端末１０６の周辺に位置するＩｏＴ装置１０１を地図上に表示させる情報を提供することができる。他の実施例についても、同様である。
【０２５８】
また、実施例２において、ＩｏＴ装置１０１をＩｏＴ情報管理装置１０７に登録する際に、ＩｏＴ管理端末１０５の位置情報を合わせて登録することによって、ＩｏＴ装置１０１の付加情報として位置情報を関連付けて、容易に登録することができる。
【０２５９】
さらに、実施例４において、ＩｏＴ装置４０１の設置状態や作業者の作業状態をカメラユニット１０５ｉを用いて撮像した情報、設置者や作業者の情報、設置日時、作業日時等の装置設置情報を、動作開始時刻とともに、ＩｏＴ情報管理装置４０７へ送信し、ＩｏＴ情報に登録するようにしてもよい。
【０２６０】
（９）２次元バーコードに表示する管理先接続情報：前述の実施例１において、２次元バーコードに複数の接続情報を表示する場合、接続先に要求する機能、登録、修正、削除等に応じて、各接続情報の記載を変更するようにしてもよい。例えば、サーバサイドスクリプトを用いて、「ｈｔｔｐ：／／ＷＷＷ．ｘｘｘｘｘ．ｃｏ．ｊｐ／ｒｅｇｉｓｔｒａｔｉｏｎ．ｐｈｐ？ｓｅｎｓｏｒｉｄ＝０１０４―５１２４―２８９０」のように特定情報の記述に合わせて、所定の機能を実現するスクリプト、例えば、装置登録を実現するスクリプト名「ｒｅｇｉｓｔｒａｔｉｏｎ．ｐｈｐ」を、既存のＩｏＴ情報の修正を実現するスクリプト名「ｃｏｒｒｅｃｔｉｏｎ．ｐｈｐ」を、既存のＩｏＴ情報の削除を実現するスクリプト名「ｄｅｌｅｔｅ．ｐｈｐ」を、それぞれ記述するようにしてもよい。その他の機能についても同様である。また、複数の機能を含み、各機能を選択できるようにしてもよい。その他の実施例についても、同様である。
【０２６１】
（１０）管理先接続情報・特定情報提供部：前述の実施例１においては、管理先接続情報・特定情報提供部として２次元バーコードを示したが、管理先接続情報・特定情報を提供できるものであれば、例示のものに限定されない。例えば、管理先接続情報・特定情報を含む物体指紋、印刷指紋、電子透かしや、近接無線手段であってもよい。なお、管理先接続情報・特定情報提供部の種類に応じて、ＩｏＴ管理端末１０５は、カメラユニット１０５ｉに代えて、所定の読み取り手段を有するようにすればよい。動作状態確認端末１０６についても同様である。その他の実施例についても、同様である。
【０２６２】
（１１）装置登録処理：前述の実施例１においては、ＩｏＴ管理端末１０５を用いてＩｏＴ情報管理装置１０７に接続し、ＩｏＴ情報を操作する処理として、ＩｏＴ装置１０１のＩｏＴ情報管理装置１０７への登録処理を示したが、２次元バーコードから取得したＩｏＴ装置１０１に関するＩｏＴ情報を操作する処理であれば、例示のものに限定されない。例えば、２次元バーコードから取得したＩｏＴ装置１０１に関する既存のＩｏＴ情報を修正、削除するものであってもよい。その他の実施例についても、同様である。
【０２６３】
（１２）情報管理装置１０３、動作状態提供装置１０９：前述の実施例１においては、情報管理装置１０３、動作状態提供装置１０９を別々の装置としたが、両者の機能を一体とした装置としてもよい。その他の実施例についても、同様である。
【０２６４】
（１３）動作確認ボタン１０１ｋ：前述の実施例１では、動作確認ボタン１０１ｋを用いて、動作状態確認端末１０６における動作状態確認時点で、ＩｏＴ装置１０１に残存する状態情報を情報蓄積装置１０３へ送信するとしたが、ＩｏＴ装置１０１に残存する状態情報を情報蓄積装置１０３へ送信できるものであれば、例示のものに限定されない。例えば、動作状態確認端末１０６から、所定の短距離無線等を用いて、ＩｏＴ装置１０１に残存する状態情報を送信させる情報を与えるようにしてもよい。この場合、ＩｏＴ装置１０１と動作状態確認端末１０６とが互いに通信できるように、予め、所定の短距離無線を設定しておくようにすればよい。その他の実施例についても、同様である。
【０２６５】
（１４）通信規格：前述の実施例１〜実施例４においては、使用する通信規格、使用する通信プロトコルについては、各処理を実現するものであれば、特に限定されない。また、中継装置（ルータ等）の利用等についても、各処理を実現するものであれば、特に限定されない。
【０２６６】
（１５）ルータＲＴ：前述の実施例２においては、ルータＲＴは無線ＬＡＮを形成する、いわゆるｗｉｆｉルータとしたが、使用する通信規格に応じて各通信を中継するものであれば例示のものに限定されない。例えば、ＢＬＥ（Ｂｌｕｅｔｏｏｔｈ  Ｌｏｗ  Ｅｎｅｒｇｙ）や独自無線を中継するものであってもよい。
【０２６７】
（１６）装置動作開始登録情報：前述の実施例４においては、ＩｏＴ装置４０１の動作開始時刻を、ＩｏＴ情報管理装置４０７のＩｏＴ情報に登録するとしたが、動作停止時刻を登録するようにしてもよい。また、動作開始時刻、及び、動作終了時刻の両者を登録するようにしてもよい。
【０２６８】
（１７）確認用動作状態情報の登録：前述の実施例４においては、確認用動作状態情報をＩｏＴ情報管理装置４０７に記憶保持するとしたが、ＩｏＴ情報管理装置４０７とは異なる、ＩｏＴ情報管理装置４０７に接続された他の記憶装置（サーバ）に登録するようにしてもよい。
【０２６９】
（１８）状態情報の取得：前述の実施例１においては、状態情報をＩｏＴ装置１０１の状態情報取得センサ１０１ｊを用いて取得するとしたが、状態情報を取得できるものであれば例示のものに限定されない。例えば、所定のセンサを有する他のサーバからデータや画像として、状態情報を取得するようにしてもよい。他の実施例についても、同様である。
【０２７０】
（１９）各プログラム：前述の実施例１〜実施例４における各プログラムは、例示のフローチャートに沿った処理を実現するとしたが、同様の処理を実現するものであれば、例示のものに限定されない。
【０２７１】
（２０）情報蓄積装置１０３が記憶保持する動作状態情報の利用：前述の実施例１において、情報蓄積装置１０３から本システム利用ユーザー側システムに、動作状態情報を、データ解析等のために送信する場合、情報蓄積装置１０３において、送信先のアドレス情報を登録したり、送信するデータを暗号化したり等できるようにしてもよい。
【０２７２】
（２１）動作状態情報のデータ形式変換：前述の実施例１において、情報蓄積装置１０３が取得する、及び／又は、記憶保持する動作状態情報を、異なるデータ形式に変換する事も出来る。ＩｏＴ装置１０１から取得する動作状態情報のデータ形式が情報蓄積装置１０３の利用者が想定するデータ形式が異なる場合、例えば、ＩｏＴ装置１０１と情報蓄積装置１０３等のその他のシステムとが異なる製造者である場合や、情報蓄積装置１０３の利用者が独自のデータ形式を利用している場合、ＩｏＴ装置メーカーあるいはユーザー側でデータ変換を行う必要があるが、情報蓄積装置１０３が取得動作状態情報をデータ変換して、記憶保持したり、他の装置に提供したりする。これにより、どの様なＩｏＴ装置やユーザー側システムであっても、ＩｏＴ装置１０１を追加するだけで、そのままで利用できる。
【産業上の利用可能性】
【０２７３】
本発明に係る情報管理システムは、例えば、ＩｏＴ装置を用いたネットワークシステムに使用できる。
【符号の説明】
【０２７４】
１００      情報管理システム
１０１      ＩｏＴ装置
１０１ａ      ＣＰＵ
１０１ｂ      メモリ
１０１ｈ      通信回路
１０１ｊ      状態情報取得センサ
１０１ｋ      動作状態確認ボタン
１０１ｍ      ２次元バーコード
１０１ｎ      筐体
１０３      情報管理装置
１０３ａ      ＣＰＵ
１０３ｂ      メモリ
１０３ｃ      ハードディスクドライブ
１０３ｄ      キーボード
１０３ｅ      マウス
１０３ｆ      ディスプレイ
１０３ｇ      光学式ドライブ
１０３ｈ      通信回路
１０３ｐ      光学式メディア
１０５      ＩｏＴ管理端末
１０５ａ      ＣＰＵ
１０５ｂ      メモリ
１０５ｆ      ディスプレイ
１０５ｈ      通信回路
１０５ｉ      カメラユニット
１０６      動作状態確認端末
１０６ａ      ＣＰＵ
１０６ｂ      メモリ
１０６ｆ      ディスプレイ
１０６ｈ      通信回路
１０６ｉ      カメラユニット
１０７      ＩｏＴ情報管理装置
１０７ａ      ＣＰＵ
１０７ｂ      メモリ
１０７ｃ      ハードディスクドライブ
１０７ｄ      キーボード
１０７ｅ      マウス
１０７ｆ      ディスプレイ
１０７ｇ      光学式ドライブ
１０７ｈ      通信回路
１０７ｐ      光学式メディア
１０９      動作状態提供装置
１０９ａ      ＣＰＵ
１０９ｂ      メモリ
１０９ｃ      ハードディスクドライブ
１０９ｄ      キーボード
１０９ｅ      マウス
１０９ｆ      ディスプレイ
１０９ｇ      光学式ドライブ
１０９ｈ      通信回路
１０９ｐ      光学式メディア
２００      情報管理システム
２０１      ＩｏＴ装置
２０１ｂ      メモリ
２０１ｈ      通信回路
２０５      ＩｏＴ管理端末
２０５ｂ      メモリ
２０５ｈ      通信回路
２０６      動作状態確認端末
２０６ｂ      メモリ
２０６ｈ      通信回路
２０７      ＩｏＴ情報管理装置
２０７ｃ      ハードディスクドライブ
３００      情報管理システム
３０５      ＩｏＴ管理端末
３０５ｂ      メモリ
３０６      動作状態確認端末
３０６ｂ      メモリ
３０７      ＩｏＴ情報管理装置
３０７ｃ      ハードディスクドライブ
３０１      自動車
４００      情報管理システム
４０１      ＩｏＴ装置
４０１ｂ      メモリ
４０５      ＩｏＴ管理端末
４０５ｂ      メモリ
４０７      ＩｏＴ情報管理装置
４０７ｃ      ハードディスクドライブ
【図１】
2020126380.tif 000003
【図２】
2020126380.tif 000004
【図３】
2020126380.tif 000005
【図４】
2020126380.tif 000006
【図５】
2020126380.tif 000007
【図５ａ】
2020126380.tif 000008
【図６】
2020126380.tif 000009
【図７】
2020126380.tif 000010
【図８】
2020126380.tif 000011
【図９】
2020126380.tif 000012
【図９ａ】
2020126380.tif 000013
【図１０】
2020126380.tif 000014
【図１１】
2020126380.tif 000015
【図１２】
2020126380.tif 000016
【図１３】
2020126380.tif 000017
【図１４】
2020126380.tif 000018
【図１５】
2020126380.tif 000019
【図１６】
2020126380.tif 000020
【図１７】
2020126380.tif 000021
【図１７ａ】
2020126380.tif 000022
【図１８】
2020126380.tif 000023
【図１９】
2020126380.tif 000024
【図２０】
2020126380.tif 000025
【図２１】
2020126380.tif 000026
【図２２】
2020126380.tif 000027
【図２３】
2020126380.tif 000028
【図２３ａ】
2020126380.tif 000029
【図２４】
2020126380.tif 000030
【図２５】
2020126380.tif 000031
【図２６】
2020126380.tif 000032
【図２７】
2020126380.tif 000033
【図２８】
2020126380.tif 000034
【図２９】
2020126380.tif 000035
【図２９ａ】
2020126380.tif 000036
【図３０】
2020126380.tif 000037
【図３１】
2020126380.tif 000038
【図３２】
2020126380.tif 000039
【図３３】
2020126380.tif 000040
【図３４】
2020126380.tif 000041
【図３５】
2020126380.tif 000042
【図３６】
2020126380.tif 000043
【図３７】
2020126380.tif 000044